(57)【要約】  本開示の実施例によるサービス指示方法は、緊急サービス及び音声サービスの少なくとも１つを含むサービスの支援情報及び前記サービスの傾向情報の少なくとも１つを含むサービス指示情報を取得することと、前記取得したサービス指示情報に基づいて、前記サービスに関する操作を行うこととを含む。【選択図】図２
2021511727.tif 000002
【特許請求の範囲】
【請求項１】
端末に応用されるサービス指示方法において、
緊急サービス及び音声サービスの少なくとも１つを含むサービスの支援情報及び前記サービスの傾向情報の少なくとも１つを含むサービス指示情報を取得することと、
前記取得したサービス指示情報に基づいて、前記サービスに関する操作を行うことと、
を含む、サービス指示方法。
【請求項２】
前記のサービス指示情報を取得する前に、
前記端末が前記サービスを支援するか否かを指示するための前記端末の前記サービスの能力情報を第１ネットワークユニットに送信することをさらに含む、請求項１に記載のサービス指示方法。
【請求項３】
前記サービスの支援情報は、サービス支援指示及びサービス支援種別情報の少なくとも１つを含む、請求項１に記載のサービス指示方法。
【請求項４】
前記サービス支援指示は、前記サービスを支援するか否かを指示し、
又は、前記サービス支援指示は、ＮＲ（Ｎｅｗ  Ｒａｄｉｏ）が前記サービスを支援するか否か、ｅＬＴＥ（ｅｎｈａｎｃｅｄ  Ｌｏｎｇ  Ｔｅｒｍ  Ｅｖｏｌｕｔｉｏｎ）が前記サービスを支援するか否か、及び、ＥＰＳ（Ｅｖｏｌｖｅｄ  Ｐａｃｋｅｔ  Ｓｙｓｔｅｍ）が前記サービスを支援するか否かの少なくとも１つを指示する、請求項３に記載のサービス指示方法。
【請求項５】
前記ＥＰＳが前記サービスを支援するか否かは、
ＥＰＳへのハンドオーバーによる前記サービスの支援を支援するか否か、及びＥＰＳへのリダイレクトによる前記サービスの支援を支援するか否かの少なくとも１つを含む、請求項４に記載のサービス指示方法。
【請求項６】
前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する、請求項３に記載のサービス指示方法。
【請求項７】
前記サービス指示情報は、バックオフ方式による前記サービスの支援を支援するか否かを指示するための指示情報をさらに含む、請求項１〜６のいずれか１項に記載のサービス指示方法。
【請求項８】
前記サービスの傾向情報は、
前記サービスのＰＤＵ（Ｐｒｏｔｏｃｏｌ  Ｄａｔａ  Ｕｎｉｔ）セッション確立を開始する傾向の傾向情報、前記サービスのサービス要求を開始する傾向の傾向情報、前記サービスのＰＤＵセッション確立を優先的に開始し且つその次に前記サービスのサービス要求を開始する傾向の傾向情報、及び、前記サービスのサービス要求を優先的に開始し且つその次に前記サービスのＰＤＵセッション確立を開始する傾向の傾向情報の少なくとも１つを含む、請求項１〜７のいずれか１項に記載のサービス指示方法。
【請求項９】
前記サービス指示情報は、位置エリアのサービス指示情報であり、
ここで、異なる位置エリアには、各々に対応するサービス指示情報が存在する、請求項１〜８のいずれか１項に記載のサービス指示方法。
【請求項１０】
第１ネットワークユニットに応用されるサービス指示方法において、
サービス能力情報を取得することと、
緊急サービス及び音声サービスの少なくとも１つを含むサービスの支援情報、サービス操作情報及び前記サービスの傾向情報の少なくとも１つを含むサービス指示情報を、前記取得したサービス能力情報に基づいて確認することと、
を含む、サービス指示方法。
【請求項１１】
前記のサービス能力情報を取得することは、
端末から、前記端末が前記サービスを支援するか否かを指示するための前記端末の前記サービスの能力情報を受信すること、及び、第２ネットワークユニットから、前記第２ネットワークユニットが前記サービスを支援するか否かを指示するための前記第２ネットワークユニットの前記サービスの能力情報を受信することの少なくとも１つを含む、請求項１０に記載のサービス指示方法。
【請求項１２】
前記端末のサービス能力情報は、非バックオフ方式による前記サービスの支援を支援するか否か、バックオフ方式による前記サービスの支援を支援するか否か、ＥＰＳを支援するか否か、ＥＰＳへのハンドオーバーを支援するか否か、ＥＰＳへのリダイレクトを支援するか否か、前記サービスのＰＤＵセッション確立の開始を支援するか否か、及び、前記サービスのサービス要求の開始を支援するか否かの少なくとも１つを含み、
及び／又は、
前記第２ネットワークユニットのサービス能力情報は、非バックオフ方式による前記サービスの支援を支援するか否か、バックオフ方式による前記サービスの支援を支援するか否か、前記サービスを支援するネットワークへの端末のハンドオーバーを支援するか否か、ＥＰＳへの端末のハンドオーバーを支援するか否か、ＥＰＳへの端末のリダイレクトを支援するか否か、及び、直接的に前記サービスを支援するか否かの少なくとも１つを含む、請求項１１に記載のサービス指示方法。
【請求項１３】
前記サービス指示情報を確認した後に、
前記サービス指示情報を端末に送信すること、及び、前記サービス指示情報を第２ネットワークユニットに送信することの少なくとも１つをさらに含む、請求項１０〜１２のいずれか一項に記載のサービス指示方法。
【請求項１４】
前記サービスの支援情報は、サービス支援指示及びサービス支援種別情報の少なくとも１つを含む、請求項１０〜１３のいずれか一項に記載のサービス指示方法。
【請求項１５】
前記サービス支援指示は、前記サービスを支援するか否かを指示し、
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する、請求項１４に記載のサービス指示方法。
【請求項１６】
前記ＥＰＳが前記サービスを支援するか否かは、
ＥＰＳへのハンドオーバーによる前記サービスの支援を支援するか否か、及び、ＥＰＳへのリダイレクトによる前記サービスの支援を支援するか否かの少なくとも１つを含む、請求項１５に記載のサービス指示方法。
【請求項１７】
前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する、請求項１４に記載のサービス指示方法。
【請求項１８】
前記サービス指示情報は、バックオフ方式による前記サービスの支援を支援するか否かを指示するための指示情報をさらに含む、請求項１０〜１７のいずれか１項に記載のサービス指示方法。
【請求項１９】
前記サービス操作情報は、前記サービスのＰＤＵセッションを受け付ける指示情報又はＱｏＳ（Ｑｕａｌｉｔｙ  ｏｆ  Ｓｅｒｖｉｃｅ）フローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む、請求項１０〜１８のいずれか１項に記載のサービス指示方法。
【請求項２０】
所定の条件を満たした場合、前記サービス指示情報は、前記サービスの傾向情報を含む、請求項１８に記載のサービス指示方法。
【請求項２１】
前記の所定の条件を満たしたことは、
前記サービスの支援情報により、前記サービスを支援すると指示すること、及び、前記バックオフ方式による前記サービスの支援情報により、バックオフ方式による前記サービスの支援を支援すると指示することの少なくとも１つを含む、請求項２０に記載のサービス指示方法。
【請求項２２】
前記サービスの傾向情報は、
前記サービスのＰＤＵセッション確立を開始する傾向の傾向情報、前記サービスのサービス要求を開始する傾向の傾向情報、前記サービスのＰＤＵセッション確立を優先的に開始し且つその次に前記サービスのサービス要求を開始する傾向の傾向情報、及び、前記サービスのサービス要求を優先的に開始し且つその次に前記サービスのＰＤＵセッション確立を開始する傾向の傾向情報の少なくとも１つを含む、請求項１０〜２１のいずれか１項に記載のサービス指示方法。
【請求項２３】
前記サービス指示情報は、位置エリアのサービス指示情報であり、
ここで、異なる位置エリアには、各々に対応するサービス指示情報が存在する、請求項１０〜２２のいずれか１項に記載のサービス指示方法。
【請求項２４】
第２ネットワークユニットに応用されるサービス指示方法において、
緊急サービス及び音声サービスの少なくとも１つを含むサービスの支援情報、サービス操作情報及び前記サービスの傾向情報の少なくとも１つを含むサービス指示情報を取得することと、
前記取得したサービス指示情報に基づいて、前記サービスに関する操作を行うことと、
を含む、サービス指示方法。
【請求項２５】
前記のサービス指示情報を取得する前に、
前記第２ネットワークユニットが前記サービスを支援するか否かを指示するための前記第２ネットワークユニットの前記サービスの能力情報を第１ネットワークユニットに送信することをさらに含む、請求項２４に記載のサービス指示方法。
【請求項２６】
前記サービスの支援情報は、サービス支援指示及びサービス支援種別情報の少なくとも１つを含む、請求項２４に記載のサービス指示方法。
【請求項２７】
前記サービス支援指示は、前記サービスを支援するか否かを指示し、
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する、請求項２６に記載のサービス指示方法。
【請求項２８】
前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する、請求項２６に記載のサービス指示方法。
【請求項２９】
前記サービス指示情報は、バックオフ方式による前記サービスの支援を支援するか否かを指示するための指示情報をさらに含む、請求項２４〜２８のいずれか１項に記載のサービス指示方法。
【請求項３０】
前記サービス操作情報は、前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む、請求項２４〜２９のいずれか１項に記載のサービス指示方法。
【請求項３１】
前記サービス指示情報は、位置エリアのサービス指示情報であり、
ここで、異なる位置エリアには、各々に対応するサービス指示情報が存在する、請求項２４〜３０のいずれか１項に記載のサービス指示方法。
【請求項３２】
前記の前記取得したサービス指示情報に基づいて前記サービスに関する操作を行うことは、
前記サービスのＰＤＵセッション又はＱｏＳフローの確立要求を受信すること、及び／又は、セッション操作情報を受信することを含む、請求項２４〜３１のいずれか１項に記載のサービス指示方法。
【請求項３３】
前記第２ネットワークユニットが、前記サービスのＰＤＵセッション又はＱｏＳフローの確立要求を受信し、及び／又は、セッション操作情報を受信した場合、前記の前記取得したサービス指示情報に基づいて前記サービスに関する操作を行うことは、以下の第１条件、第２条件、第３条件、及び第４条件の少なくとも１つを含む：
第１条件を満たす場合、前記サービスのＰＤＵセッション又はＱｏＳフローの確立要求を受信することと、
ここで、前記第１条件は、前記第２ネットワークユニットがＮＲ基地局であり且つＮＲが前記サービスを支援することが前記サービス支援指示情報により指示されること、前記第２ネットワークユニットがｅＬＴＥ基地局であり且つｅＬＴＥが前記サービスを支援することが前記サービス支援指示情報により指示されること、及び、前記サービスのＰＤＵセッション又はＱｏＳフローの確立要求を受け付けることが前記セッション操作情報により指示されることの少なくとも１つを含み、
第２条件を満たす場合、端末をｅＬＴＥにハンドオーバーすることと、
ここで、前記第２条件は、前記第２ネットワークユニットがＮＲ基地局であり、且つ、ＮＲが前記サービスを支援しないこととｅＬＴＥが前記サービスを支援することが前記サービス支援指示情報により指示されること、及び、端末をｅＬＴＥにハンドオーバーすることが前記セッション操作情報により指示されることの少なくとも１つを含み、
第３条件を満たす場合、端末をＥＰＳにハンドオーバーすることと、
ここで、前記第３条件は、前記第２ネットワークユニットがＮＲ基地局又はｅＬＴＥ基地局であり、且つ、ＮＲが前記サービスを支援しないことと、ｅＬＴＥが前記サービスを支援しないことと、ＥＰＳへのハンドオーバーによる前記サービスの支援を支援することとが前記サービス支援指示情報により指示されること、及び、端末をＥＰＳにハンドオーバーすることが前記セッション操作情報により指示されることの少なくとも１つを含み、
第４条件を満たす場合、端末をＥＰＳにリダイレクトすることと、
ここで、前記第４条件は、前記第２ネットワークユニットがＮＲ基地局又はｅＬＴＥ基地局であり、且つ、ＮＲが前記サービスを支援しないことと、ｅＬＴＥが前記サービスを支援しないことと、ＥＰＳへのリダイレクトによる前記サービスの支援を支援することとが前記サービス支援指示情報により指示されること、及び、端末をＥＰＳにリダイレクトすることが前記セッション操作情報により指示されることの少なくとも１つを含む
ものである、請求項３２に記載のサービス指示方法。
【請求項３４】
緊急サービス及び音声サービスの少なくとも１つを含むサービスの支援情報及び前記サービスの傾向情報の少なくとも１つを含むサービス指示情報を取得するための取得モジュールと、
前記取得したサービス指示情報に基づいて、前記サービスに関する操作を行うための操作モジュールと、
を含む、端末。
【請求項３５】
第１ネットワークユニットであるネットワークユニットにおいて、
サービス能力情報を取得するための取得モジュールと、
緊急サービス及び音声サービスの少なくとも１つを含むサービスの支援情報、サービス操作情報及び前記サービスの傾向情報の少なくとも１つを含むサービス指示情報を、前記取得したサービス能力情報に基づいて確認するための確認モジュールとを含む、ネットワークユニット。
【請求項３６】
第２ネットワークユニットであるネットワークユニットにおいて、
緊急サービス及び音声サービスの少なくとも１つを含むサービスの支援情報、サービス操作情報及び前記サービスの傾向情報の少なくとも１つを含むサービス指示情報を取得するための取得モジュールと、
前記取得したサービス指示情報に基づいて、前記サービスに関する操作を行うための操作モジュールとを含む、ネットワークユニット。
【請求項３７】
メモリと、プロセッサと、前記メモリに記憶され、前記プロセッサで動作するコンピュータプログラムとを含む端末であって、
前記コンピュータプログラムが前記プロセッサによって実行されると、請求項１〜９のいずれか１項に記載のサービス指示方法のことが実現される、端末。
【請求項３８】
第１ネットワークユニットであるネットワークユニットにおいて、
メモリと、プロセッサと、前記メモリに記憶され、前記プロセッサで動作するコンピュータプログラムとを含み、
前記コンピュータプログラムが前記プロセッサによって実行されると、請求項１０〜２３のいずれか１項に記載のサービス指示方法のことが実現される、ネットワークユニット。
【請求項３９】
第２ネットワークユニットであるネットワークユニットにおいて、
メモリと、プロセッサと、前記メモリに記憶され、前記プロセッサで動作するコンピュータプログラムとを含み、
前記コンピュータプログラムが前記プロセッサによって実行されると、請求項２４〜３３のいずれか１項に記載のサービス指示方法のことが実現される、ネットワークユニット。
【請求項４０】
コンピュータプログラムが記憶されているコンピュータ読み取り可能な記憶媒体であって、
前記コンピュータプログラムがプロセッサによって実行されると、請求項１〜９のいずれか１項に記載のサービス指示方法のことが実現され、又は、前記コンピュータプログラムが前記プロセッサによって実行されると、請求項１０〜２３のいずれか１項に記載のサービス指示方法のことが実現され、又は、前記コンピュータプログラムが前記プロセッサによって実行されると、請求項２４〜３３のいずれか１項に記載のサービス指示方法のことが実現される、コンピュータ読み取り可能な記憶媒体。
【発明の詳細な説明】
【技術分野】
【０００１】
本願は、２０１８年１月１６日に中国特許庁に提出された中国特許出願２０１８１００４１４４５．２の優先権を主張し、その全ての内容が援用によりここに取り込まれる。
本開示は、通信技術分野に係り、特にサービス指示方法及び関連機器に係る。
【背景技術】
【０００２】
５Ｇ（５ｔｈ  ｇｅｎｅｒａｔｉｏｎ）通信システムでは、ＮＲ（Ｎｅｗ  Ｒａｄｉｏ）ネットワークユニット及びｅＬＴＥ（ｅｎｈａｎｃｅｄ  Ｌｏｎｇ  Ｔｅｒｍ  Ｅｖｏｌｕｔｉｏｎ）ネットワークユニットが含まれるが、ここで、ＮＲネットワークユニット（例えば、ＮＲ基地局）は、実際の５Ｇネットワークユニットであり、ｅＬＴＥネットワークユニット（例えば、ｅＬＴＥ基地局）は、５ＧコアネットワークにアクセスするセルｅＬＴＥネットワークユニットである。このように、現在の５Ｇ通信システムは、複数種類の無線アクセスネットワークを含むため、サービスに関する操作を端末がいかに効果的に行うかが、現在解決すべき技術的課題となっている。
【発明の概要】
【発明が解決しようとする課題】
【０００３】
全体的に、本開示の実施例は、端末に応用されるサービス指示方法を提供する。
この方法において、緊急サービス及び音声サービスの少なくとも１つを含むサービスの支援情報及び前記サービスの傾向情報の少なくとも１つを含むサービス指示情報を取得することを含む。
【０００４】
第１方面において、本開示の実施例は、端末に応用されるサービス指示方法を提供する。
この方法において、
緊急サービス及び音声サービスの少なくとも１つを含むサービスの支援情報及び前記サービスの傾向情報の少なくとも１つを含むサービス指示情報を取得することと、
前記取得したサービス指示情報に基づいて、前記サービスに関する操作を行うことと、を含む。
【０００５】
第２方面において、本開示の実施例は、第１ネットワークユニットに応用されるサービス指示方法を提供する。
この方法において、
サービス能力情報を取得することと、
緊急サービス及び音声サービスの少なくとも１つを含むサービスの支援情報、サービス操作情報及び前記サービスの傾向情報の少なくとも１つを含むサービス指示情報を、前記取得したサービス能力情報に基づいて確認することと、を含む。
【０００６】
第３方面において、本開示の実施例は、第２ネットワークユニットに応用されるサービス指示方法を提供する。
この方法において、
緊急サービス及び音声サービスの少なくとも１つを含むサービスの支援情報、サービス操作情報及び前記サービスの傾向情報の少なくとも１つを含むサービス指示情報を取得することと、
前記取得したサービス指示情報に基づいて、前記サービスに関する操作を行うことと、を含む。
【０００７】
第４方面において、本開示の実施例は、端末を提供する。
この端末は、
緊急サービス及び音声サービスの少なくとも１つを含むサービスの支援情報及び前記サービスの傾向情報の少なくとも１つを含むサービス指示情報を取得するための取得モジュールと、
前記取得したサービス指示情報に基づいて、前記サービスに関する操作を行うための操作モジュールと、を含む。
【０００８】
第５方面において、本開示の実施例は、第１ネットワークユニットであるネットワークユニットを提供する。
このネットワークユニットは、
サービス能力情報を取得するための取得モジュールと、
緊急サービス及び音声サービスの少なくとも１つを含むサービスの支援情報、サービス操作情報及び前記サービスの傾向情報の少なくとも１つを含むサービス指示情報を、前記取得したサービス能力情報に基づいて確認するための確認モジュールと、を含む。
【０００９】
第６方面において、本開示の実施例は、第２ネットワークユニットであるネットワークユニットを提供する。
このネットワークユニットは、
緊急サービス及び音声サービスの少なくとも１つを含むサービスの支援情報、サービス操作情報及び前記サービスの傾向情報の少なくとも１つを含むサービス指示情報を取得するための取得モジュールと、
前記取得したサービス指示情報に基づいて、前記サービスに関する操作を行うための操作モジュールと、を含む。
【００１０】
第７方面において、本開示の実施例は、メモリと、プロセッサと、前記メモリに記憶され、前記プロセッサで動作するコンピュータプログラムとを含む端末を提供する。
前記コンピュータプログラムが前記プロセッサによって実行されると、本開示の実施例の端末側のサービス指示方法のことが実現される。
【００１１】
第８方面において、本開示の実施例は、第１ネットワークユニットであるネットワークユニットを提供する。
このネットワークユニットは、メモリと、プロセッサと、前記メモリに記憶され、前記プロセッサで動作するコンピュータプログラムとを含み、
前記コンピュータプログラムが前記プロセッサによって実行されると、本開示の実施例の第１ネットワークユニット側のサービス指示方法のことが実現される。
【００１２】
第９方面において、本開示の実施例は、第２ネットワークユニットであるネットワークユニットを提供する。
このネットワークユニットは、メモリと、プロセッサと、前記メモリに記憶され、前記プロセッサで動作するコンピュータプログラムとを含み、
前記コンピュータプログラムが前記プロセッサによって実行されると、本開示の実施例の第２ネットワークユニット側のサービス指示方法のことが実現される。
【００１３】
第１０方面において、本開示の実施例は、コンピュータプログラムが記憶されているコンピュータ読み取り可能な記憶媒体を提供する。
前記コンピュータプログラムがプロセッサによって実行されると、本開示の実施例の端末側のサービス指示方法のことが実現され、又は、前記コンピュータプログラムが前記プロセッサによって実行されると、本開示の実施例の第１ネットワークユニット側のサービス指示方法のことが実現され、又は、前記コンピュータプログラムが前記プロセッサによって実行されると、本開示の実施例の第２ネットワークユニット側のサービス指示方法のことが実現される。
【００１４】
本開示の実施例の技術手段をより明確に説明するために、本開示の実施例の説明に必要な図面を簡単に説明する。以下の説明における図面は、本開示の一部の実施例にすぎず、当業者にとって、創造性のある作業をすることなく、これらの図面から他の図面も得られることは、明らかである。
【図面の簡単な説明】
【００１５】
【図１】本開示の実施例の応用可能なサービス指示システムの構造図である。
【図２】本開示の実施例のサービス指示方法のフローチャートである。
【図３】本開示の実施例の他のサービス指示方法のフローチャートである。
【図４】本開示の実施例の他のサービス指示方法のフローチャートである。
【図５】本開示の実施例の他のサービス指示方法のフローチャートである。
【図６】本開示の実施例の他のサービス指示方法の概略図である。
【図７】本開示の実施例の他のサービス指示方法の概略図である。
【図８】本開示の実施例の他のサービス指示方法の概略図である。
【図９】本開示の実施例の他のサービス指示方法の概略図である。
【図１０】本開示の実施例の他のサービス指示方法の概略図である。
【図１１】本開示の実施例の端末の構造図である。
【図１２】本開示の実施例の他の端末の構造図である。
【図１３】本開示の実施例のネットワークユニットの構造図である。
【図１４】本開示の実施例の他のネットワークユニットの構造図である。
【図１５】本開示の実施例の他のネットワークユニットの構造図である。
【図１６】本開示の実施例の他のネットワークユニットの構造図である。
【図１７】本開示の実施例の他のネットワークユニットの構造図である。
【図１８】本開示の実施例の他の端末の構造図である。
【図１９】本開示の実施例の他のネットワークユニットの構造図である。
【図２０】本開示の実施例の他のネットワークユニットの構造図である。
【発明を実施するための形態】
【００１６】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をすることなく為しえる全ての他の実施例は、いずれも本開示の保護範囲に属するものである。
【００１７】
図１を参照する。図１は、本開示の実施例の応用可能なサービス指示システムの構造図であり、図１に示すように、端末１１と、第１ネットワークユニット１２と、第２ネットワークユニット１３を含む。
【００１８】
ここで、端末１１は、ＵＥ（Ｕｓｅｒ  Ｅｑｕｉｐｍｅｎｔ）であり、例えば、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器である。なお、本開示の実施例では、端末１１の具体的な種類を限定しない。
【００１９】
第１ネットワークユニット１２は、任意のネットワーク側機器又はネットワーク機能である。例えば、第１ネットワークユニット１２は、無線アクセスネットワークネットワークユニット又はコアネットワークネットワークユニットである。また、第１ネットワークユニット１２は、端末１１とインタラクションを行ってもよいし、他のネットワークユニットとインタラクションを行ってもよい。第２ネットワークユニット１３は、第１ネットワークユニット１２とは異なる任意のネットワーク側機器又はネットワーク機能である。第２ネットワークユニット１３は、無線アクセスネットワークネットワークユニット又はコアネットワークユニットである。
【００２０】
本開示の実施例において、コアネットワークネットワークユニットは、コアネットワーク機器、コアネットワークノード、コアネットワーク機能、コアネットワークネットワークユニット、ＭＭＥ（Ｍｏｂｉｌｉｔｙ  Ｍａｎａｇｅｍｅｎｔ  Ｅｎｔｉｔｙ）、ＡＭＦ（Ａｃｃｅｓｓ  Ｍａｎａｇｅｍｅｎｔ  Ｆｕｎｃｔｉｏｎ）、ＳＭＦ（Ｓｅｓｓｉｏｎ  Ｍａｎａｇｅｍｅｎｔ  Ｆｕｎｃｔｉｏｎ）、ＵＰＦ（Ｕｓｅｒ  Ｐｌａｎｅ  Ｆｕｎｃｔｉｏｎ）、ＳＧＷ（ｓｅｒｖｉｎｇ  ＧＷ）、ＰＤＮゲートウェイ（ＰＤＮ  Ｇａｔｅ  Ｗａｙ）、ＰＣＦ（Ｐｏｌｉｃｙ  Ｃｏｎｔｒｏｌ  Ｆｕｎｃｔｉｏｎ）、ＰＣＲＦ（Ｐｏｌｉｃｙ  ａｎｄ  Ｃｈａｒｇｉｎｇ  Ｒｕｌｅｓ  Ｆｕｎｃｔｉｏｎ）、ＳＧＳＮ（Ｓｅｒｖｉｎｇ  ＧＰＲＳ  Ｓｕｐｐｏｒｔ  Ｎｏｄｅ）、ＧＧＳＮ（Ｇａｔｅｗａｙ  ＧＰＲＳ  Ｓｕｐｐｏｒｔ  Ｎｏｄｅ）の少なくとも１つを含む。
【００２１】  本開示の実施例において、無線アクセスネットワークネットワークユニットは、無線アクセスネットワーク機器、無線アクセスネットワークノード、無線アクセスネットワーク機能、無線アクセスネットワークユニット、（公序良俗違反につき、不掲載）無線アクセスネットワーク、非（公序良俗違反につき、不掲載）無線アクセスネットワーク、ＣＵ（Ｃｅｎｔｒａｌｉｚｅｄ  Ｕｎｉｔ）、ＤＵ（Ｄｉｓｔｒｉｂｕｔｅｄ  Ｕｎｉｔ）、基地局、ｅＮＢ（ｅｖｏｌｖｅｄ  Ｎｏｄｅ  Ｂ）、５Ｇ基地局（ｇＮＢ）、ＲＮＣ（Ｒａｄｉｏ  Ｎｅｔｗｏｒｋ  Ｃｏｎｔｒｏｌｌｅｒ）、基地局（ＮｏｄｅＢ）、Ｎ３ＩＷＦ（Ｎｏｎ−（公序良俗違反につき、不掲載）  ＩｎｔｅｒＷｏｒｋｉｎｇ  Ｆｕｎｃｔｉｏｎ）、ＡＣ（Ａｃｃｅｓｓ  Ｃｏｎｔｒｏｌｌｅｒ）ノード、ＡＰ（Ａｃｃｅｓｓ  Ｐｏｉｎｔ）機器、又はＷＬＡＮ（Ｗｉｒｅｌｅｓｓ  Ｌｏｃａｌ  Ａｒｅａ  Ｎｅｔｗｏｒｋｓ）ノードのうちの少なくとも１つを含む。
【００２２】
基地局は、ＧＳＭ又はＣＤＭＡにおけるＢＴＳ（Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、ＬＴＥにおけるｅＮＢ又はｅ−ＮｏｄｅＢ（ｅｖｏｌｕｔｉｏｎａｌ  Ｎｏｄｅ  Ｂ）及び５Ｇ基地局（ｇＮＢ）であってもよく、本開示の実施例では限定されない。
【００２３】
本開示の実施例において、サービス支援種別情報は、サービス支援方式情報又はサービス支援方法情報として表現してもよい。サービス支援種別情報は、異なる実現方式で前記サービスを支援する情報を示す。
【００２４】
本開示の実施例において、バックオフ方式による前記サービスの支援を支援する方式とは、端末が前記サービスのサービス要求を開始し、ネットワークによってさらなる操作を行うことを指す。さらなる操作とは、前記サービスを直接支援するネットワークへ端末をバックオフし、例えば端末をｅＬＴＥへハンドオーバーし、端末をＥＰＳへハンドオーバーし、又は、端末をＥＰＳへリダイレクトする。前記ｅＬＴＥ又はＥＰＳは、前記サービスを直接支援することができる。
【００２５】
本開示の実施例において、前記サービス支援指示は、端末が前記サービスのＰＤＵセッション確立を開始することができるかを指示し、ネットワークによってさらなる操作を行うことを指す。さらなる操作とは、直接現在のネットワークでＵＥに対し前記サービスを確立し、端末をｅＬＴＥへハンドオーバーし、端末をＥＰＳへハンドオーバーし、又は、端末をＥＰＳへリダイレクトする。
【００２６】
本開示の実施例において、ｅＬＴＥは、５ＧＣに直接接続するＥＵＴＲＡの手段である。ＥＰＳは、ＬＴＥと呼ばれてもよい。
【００２７】
本開示の実施例において、緊急サービスは、緊急音声サービス、緊急ＩＭＳ音声サービスの１つと呼ばれてもよい。
【００２８】
本開示の実施例において、音声サービスは、ＰＳドメインのセッション方式によるＩＭＳ音声サービスと呼ばれもよい。
【００２９】
図２を参照する。図２は、本開示の実施例のサービス指示方法のフローチャートである。この方法は、端末に応用される。図２に示されるように、以下のステップを含む。
【００３０】
ステップ２０１において、緊急サービス及び音声サービスの少なくとも１つを含むサービスの支援情報及び前記サービスの傾向情報の少なくとも１つを含むサービス指示情報を取得する。
【００３１】
ここで、上記サービス指示情報は、ネットワーク側から送信されるサービス指示情報を受信し、例えば、図１に示すシステムの第１ネットワークユニット又は第２ネットワークユニットから送信されるサービス指示情報を受信する。また、上記サービスが緊急サービス及び音声サービスの少なくとも１つを含むことは、上記サービスが緊急サービス又は音声サービスを含み、又は、上記サービスが緊急サービスと音声サービスを含むことが理解される。ここで、緊急サービスは、警察通報ホットラインサービスや救助サービスなどの緊急音声サービスであってもよいが、本開示の実施例において、これについて限定しない。また、上記音声サービスは、ＰＳ（Ｐａｃｋｅｔ  Ｓｗｉｔｃｈ）ドメインセッションのＩＭＳ（ＩＰ  Ｍｕｌｔｉｍｅｄｉａ  Ｓｕｂｓｙｓｔｅｍ）音声サービス（ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ）又は他の音声サービスであってもよいが、本開示の実施例において、これについて限定しない。
【００３２】
上記サービスの支援情報は、上記サービスを支援するか否かを指示し、例えば、ネットワーク側が上記サービスを支援すると指示する。それにより、端末は、このサービスの支援情報に基づいて、対応するサービスを開始し、端末のサービス性能を向上させることができる。
【００３３】
また、上記サービスの傾向情報は、例えば、このサービスのＰＤＵ（Ｐｒｏｔｏｃｏｌ  Ｄａｔａ  Ｕｎｉｔ）セッション確立を開始する傾向、このサービスのサービス要求を開始する傾向、このサービスのＰＤＵセッション確立を優先的に開始しその次にこのサービスのサービス要求を開始する傾向、又は、このサービスのサービス要求を優先的に開始しその次にこのサービスのＰＤＵセッション確立を開始する傾向など、このサービスに対するネットワーク側の傾向情報を指示する。上記サービスの傾向情報により、端末が対応した方式でサービスを開始することを実現可能である。このように、端末がどのような方式でサービスを開始するかを知らないという問題を回避することができ、端末のサービス性能を向上させることができる。
【００３４】
ステップ２０２において、前記取得したサービス指示情報に基づいて、前記サービスに関する操作を行う。
【００３５】
ここで、上記の前記取得したサービス指示情報に基づいて、前記サービスに関する操作を行うことは、上記サービス指示情報におけるサービスの支援情報に基づいて上記サービスを支援するか否かを決定し、支援するのであればこのサービスを開始したり、上記サービスの傾向情報に基づいて、例えばサービス要求やセッション確立を開始するなど、この傾向情報に対応するサービスの操作を行ったりするが、これに対し、本開示の実施例において限定しない。
【００３６】
上記ステップにより、端末が上記サービス指示情報に基づいて上記サービスに関する操作を効果的に行うことができ、且つ端末のサービス性能を向上させることができる。
【００３７】
なお、本開示の実施例の上記方法は、５Ｇシステムに応用可能であるが、これに限定されず、実質的に同じ機能を実現できる限り、他の通信システム、例えば、６Ｇシステム又は他のサービス指示情報を応用する通信システム等に適用できる。
【００３８】
選択可能に、上記サービス指示情報は、サービス操作情報をさらに含む。
【００３９】
選択可能に、前記のサービス指示情報を取得する前に、
前記方法において、前記端末が前記サービスを支援するか否かを指示するための前記端末の前記サービスの能力情報を第１ネットワークユニットに送信することをさらに含む。
【００４０】
選択可能に、前記サービスの支援情報は、サービス支援指示及びサービス支援種別情報の少なくとも１つを含む。
【００４１】
選択可能に、前記サービス支援指示は、前記サービスを支援するか否かを指示する。
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する。
【００４２】
選択可能に、前記ＥＰＳが前記サービスを支援するか否かは、
ＥＰＳへのハンドオーバーによる前記サービスの支援を支援するか否か、及びＥＰＳへのリダイレクトによる前記サービスの支援を支援するか否かの少なくとも１つを含む。
【００４３】
選択可能に、前記サービス支援種別情報は、前記サービスを支援する種別を指示する。
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。
【００４４】
選択可能に、前記サービス指示情報は、バックオフ方式による前記サービスの支援を支援するか否かを指示するための指示情報をさらに含む。
選択可能に、バックオフ方式による前記サービスの支援を支援するか否かの指示情報は、ｅＬＴＥへハンドオーバーしてからのバックオフを支援するか、ＥＰＳへハンドオーバーしてからのバックオフを支援するか、ＥＰＳへリダイレクトしてからのバックオフを支援するかの１つを含む。前記バックオフのターゲットネットワーク（例えば、ｅＬＴＥ又はＥＰＳ）は、前記サービスを直接支援する。
【００４５】
選択可能に、前記サービスの傾向情報は、前記サービスのＰＤＵセッション確立を開始する傾向の傾向情報、前記サービスのサービス要求を開始する傾向の傾向情報、前記サービスのＰＤＵセッション確立を優先的に開始し且つその次に前記サービスのサービス要求を開始する傾向の傾向情報、及び、前記サービスのサービス要求を優先的に開始し且つその次に前記サービスのＰＤＵセッション確立を開始する傾向の傾向情報の少なくとも１つを含む。
【００４６】
選択可能に、前記サービス指示情報は、位置エリアのサービス指示情報であり、ここで、異なる位置エリアには、各々に対応するサービス指示情報が存在する。すなわち、異なる位置エリア（たとえばＴＡ）でのサービス指示情報は、異なってもよい。
【００４７】
本開示の実施例において、緊急サービス及び音声サービスの少なくとも１つを含むサービスの支援情報及び前記サービスの傾向情報の少なくとも１つを含むサービス指示情報を取得し、前記取得したサービス指示情報に基づいて、前記サービスに関する操作を行う。このように、端末は、上記サービス指示情報により、前記サービスに関する操作を効果的に行うことができる。
【００４８】
図３を参照する。図３は、本開示の実施例の他のサービス指示方法のフローチャートである。この方法は、端末に応用される。図３に示されるように、以下のステップを含む。
【００４９】
ステップ３０１において、前記端末の前記サービスの能力情報を第１ネットワークユニットに送信する。前記能力情報は、前記端末が前記サービスを支援するか否かを指示する。
【００５０】
ここで、上記サービスの能力情報は、ログインプロセス、又は接続確立プロセス、又はサービス要求プロセスにおいて送信され、上記能力情報により第１ネットワークユニットに端末の能力を確認させ、端末能力に基づいて、対応するサービス指示情報を確認することができる。
【００５１】
なお、ステップ３０１は、選択可能であり、例えば、第１ネットワークユニットが予め端末の能力情報を取得したり、デフォルトとして端末が上記サービスを支援したりするが、これに対し、本開示の実施例において限定しない。
【００５２】
ステップ３０２において、サービス指示情報を取得する。前記サービス指示情報は、前記サービスの支援情報及び前記サービスの傾向情報の少なくとも１つを含む。前記サービスは、緊急サービス及び音声サービスの少なくとも１つを含む。
【００５３】
ここで、上記サービス指示情報は、上記第１ネットワークユニットから受信する。例えば、端末は、ログイン要求メッセージにより上記能力情報を送信し、第１ネットワークユニットは、上記サービス指示情報を含むログイン受付メッセージを端末に送信する。もちろん、端末が上記サービスのサービス要求又はセッション確立要求を第１ネットワークユニットに送信し、第１ネットワークユニットが対応するバックオフメッセージを端末に送信するのもよい。そのバックオフメッセージに上記サービス指示情報等が含まれる。
【００５４】
ステップ３０３において、前記取得したサービス指示情報に基づいて、前記サービスに関する操作を行う。
【００５５】
選択可能な実施形態として、前記サービスの支援情報は、サービス支援指示及びサービス支援種別情報の少なくとも１つを含む。
【００５６】
ここで、上記サービス支援指示は、前記サービスを支援するか否かを指示する。例えば、ＮＲ（Ｎｅｗ  Ｒａｄｉｏ）、ｅＬＴＥ又はＥＰＳ（Ｅｖｏｌｖｅｄ  Ｐａｃｋｅｔ  Ｓｙｓｔｅｍ）のうちの１つ又は複数が前記サービスを支援する場合、上記サービス支援指示は、支援を示すことで、上記サービスを支援するか否かを１ビットで指示することができる。これにより、端末が上記サービスを開始するか否かを判断して決定するプロセスを単純化することができる。
【００５７】
ここで、５Ｇシステムにおける上記サービスの支援は、限定ではないが、以下の少なくとも１つを含むことによって可能になる。
方式１：５ＧＳでは、上記サービス（緊急サービス及び音声サービスの少なくとも１つ）を支援でき、例えばＮＲ及び５Ｇコアネットワーク（５ＧＣ）の双方が緊急サービスを直接支援できる。
方式２：上記サービス（緊急サービス及び音声サービスのうちの少なくとも１つ）のために確立されたＱｏＳ（Ｑｕａｌｉｔｙ  ｏｆ  Ｓｅｒｖｉｃｅ）フロー又はＰＤＵセッションの場合、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）は、５Ｇコアネットワーク（５ＧＣ）に接続されて前記サービスを支援し、５Ｇ無線アクセスネットワーク（ＮＧ  ＲＡＮ）は、端末を５ＧＣに接続されたＥ−ＵＴＲＡにハンドオーバーすることができる。
方式３：上記サービス（緊急サービス及び音声サービスのうちの少なくとも１つ）のために確立されたＱｏＳフロー又はＰＤＵセッションの場合、５Ｇ無線アクセスネットワーク（ＮＧ  ＲＡＮ）は、緊急セッションを支援するＥＰＳに端末をハンドオーバーすることができる。
方式４：上記サービス（緊急サービス及び音声サービスのうちの少なくとも１つ）のために確立されたＱｏＳフロー又はＰＤＵセッションの場合、５Ｇ無線アクセスネットワーク（ＮＧ  ＲＡＮ）は、緊急セッションを支援するＥＰＳへの端末リダイレクトをトリガする。
【００５８】
このように、いずれかの方式で支援される場合、上記サービス支援指示（ｉｎｄｉｃａｔｏｒ）は、上記サービスを支援することを指示する（ｉｎｄｉｃａｔｅ）。
【００５９】
例えば、一実施形態において、サービス種別情報により、ＮＲが緊急サービスを支援することを指示すると、サービス支援情報指示は、サービスを支援することを指示する。
【００６０】
一実施形態において、サービス種別情報により、ｅＬＴＥが緊急サービスを支援することを指示すると、サービス支援情報指示は、サービスを支援することを指示する。
【００６１】
一実施形態において、サービス種別情報により、ｅＬＴＥが緊急サービスを支援せず、且つＮＲも緊急サービスを支援しないことを指示するが、ネットワークがＥＰＳへのハンドオーバー又はＥＰＳへのリダイレクトを支援することを指示すると、サービス支援情報指示は、サービスを支援することを指示する。
【００６２】
例えば、ＴＡ（Ｔｒａｃｋｉｎｇ  Ａｒｅ）及び緊急サービスを例にとると、以下の表１及び表２に示される。
【００６３】
【表１】
2021511727.tif 000003
【００６４】
【表２】
2021511727.tif 000004
【００６５】
ここで、上記ＴＡ＿ＮＲ＝Ｙは、ＴＡ内でＮＲが緊急サービスを支援することを示し、ＴＡ＿ｅＬＴＥ＝Ｎは、ＴＡ内でｅＬＴＥが緊急サービスを支援しないことを示し、上記ＴＡ＿ＮＲ＝Ｎは、ＴＡ内でＮＲが緊急サービスを支援しないことを示し、ＴＡ＿ｅＬＴＥ＝Ｙは、ＴＡ内でｅＬＴＥが緊急サービスを支援することを示す。
【００６６】
また、上記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。これにより、３ビットでの指示が可能となり、各ビットは、それぞれ、ＮＲサービス支援指示、ｅＬＴＥサービス支援指示、ＥＰＳサービス支援指示のいずれかに対応する。これにより、シグナリングオーバーヘッドを節約できる。
【００６７】
このように、上記サービス支援指示により、ＮＲが前記サービスを支援するか否か、ｅＬＴＥが前記サービスを支援するか否か、ＥＰＳへのハンドオーバーによる前記サービスの支援を支援するか否か、ＥＰＳへのリダイレクトによる前記サービスの支援を支援するか否か、ＥＰＳへのハンドオーバーによる前記サービスの支援を支援するか否か、及び、ＥＰＳへのリダイレクトによる前記サービスの支援を支援するか否かの少なくとも１つを指示する。ここで、ＥＰＳへハンドオーバーして前記サービスを支援する場合やＥＰＳへリダイレクトして前記サービスを支援する場合、デフォルトとして、ＥＰＳが上記サービスを支援することとする。これにより、４ビットでの指示が可能となり、各ビットは、それぞれ、ＮＲ緊急サービス支援指示、ＥＰＳハンドオーバー支援情報、ＥＰＳリダイレクト支援情報のいずれかに対応する。
【００６８】
もちろん、一実施形態において、前記サービス支援指示は、前記サービスを支援するかを指示し、さらに、ＮＲが前記サービスを支援するか否か、ｅＬＴＥが前記サービスを支援するか否か、ＥＰＳへのハンドオーバーによる前記サービスの支援を支援するか否か、ＥＰＳへのリダイレクトによる前記サービスの支援を支援するか否かの少なくとも１つを指示する。このように、端末は、上記サービスを支援するか、また上記サービスを支援する方式を確認することができ、緊急サービスがどのように実現されているかを利用者に知らせることができ、なりすましの問題がなくなる。
【００６９】
また、上記サービス支援種別情報は、ネットワークにおけるサービスの実現方式を指示する。
例えば、上記サービス支援種別情報は、前記サービスを支援する種別を指示する。
又は、前記サービス支援種別情報は、ＮＲによる前記サービスの支援が可能か否か、ｅＬＴＥによる前記サービスの支援が可能か否か、ＥＰＳによる前記サービスの支援が可能か否かの少なくとも１つを指示する。
【００７０】
ここで、上記ＥＰＳによる前記サービスの支援が可能か否かは、ＵＥをＥＰＳへハンドオーバーして前記サービスを支援することが可能か、及び、端末をＥＰＳへリダイレクトして前記サービスを支援することが可能かの少なくとも１つを指示する。
【００７１】
この実施形態において、サービス支援種別情報により、上記サービスを支援する方式を端末に取得させるようにして、緊急サービスがどのように実現されるかを利用者に知らせ、なりすましの問題をなくすことができる。
【００７２】
選択可能な実施形態として、前記サービス指示情報は、バックオフ方式による前記サービスの支援を支援するか否かを指示するための指示情報をさらに含む。
【００７３】
この指示情報は、バックオフ方式による前記サービスの指示情報と呼ばれてもよい。
【００７４】
ここで、ステップ３０２におけるサービスの支援情報は、バックオフ方式によらない前記サービスの支援情報であってもよい。もちろん、ステップ３０２におけるサービスの支援情報は、バックオフ方式によらない前記サービスの支援情報、及びバックオフ方式による前記サービスの指示情報の少なくとも１つを含むのもよい。ここで、上記バックオフ方式によらない前記サービスの支援情報は、バックオフ方式以外の他の方式（非バックオフ方式と呼ばれてもよい）が上記サービスを支援するか否かを指示し、例えば、端末が直接上記サービスを開始することを支援するか否か、ネットワーク側のスケジューリングに基づいて上記サービスを開始するか否かなどである。
【００７５】
この実施形態において、上記のバックオフ方式による前記サービスの指示情報により、バックオフ方式による前記サービスの支援を支援するかを端末に指示することが実現される。これにより、端末は、バックオフ方式で上記サービスの伝送を行うことができる。
【００７６】
選択可能な実施形態として、所定の条件を満たした場合、前記サービス指示情報は、前記サービスの傾向情報を含む。
【００７７】
ここで、前記サービスの傾向情報は、前記緊急サービスの傾向情報及び前記音声サービスの傾向情報の少なくとも１つを含む。
【００７８】
この実施形態において、上記所定の条件を満たすことが第１ネットワークユニットによって判断されると、送信されるサービス指示情報には、サービスの傾向情報が含まれることが実現される。
【００７９】
また、この実施形態において、上記のバックオフ方式による前記サービスの支援情報と組み合わせて実現してもよい。もちろん、バックオフ方式による前記サービスの支援情報が含まれない場合、上記サービス指示情報は、前記サービスの傾向情報を含んでもよい。これについて、本開示の実施例において限定しない。
【００８０】
ここで、所定の条件は、プロトコルによって予め定義されたり、端末がネットワーク側から受信したりする。
【００８１】
選択可能に、上記の所定の条件を満たすことは、
前記サービスの支援情報により、前記サービスを支援すると指示すること、及び、前記バックオフ方式による前記サービスの支援情報により、バックオフ方式による前記サービスの支援を支援すると指示することの少なくとも１つを含む。
【００８２】
この実施形態において、上記サービスを支援する場合、サービスの傾向情報を端末に設定することを実現し、端末が対応する方式でサービスを開始することを効果的に誘導する。
【００８３】
具体的には、上記所定の条件を満たすことは、以下の少なくとも１つを含む。
前記サービスの支援情報により、前記緊急サービスを支援すると指示し、バックオフ方式により、前記緊急サービスを支援すると指示する。
前記サービスの支援情報により、前記音声サービスを支援することを示す。
バックオフ方式により、前記音声サービスを支援すると指示する。
前記サービスの支援情報により、前記音声サービスを支援すると指示し、バックオフ方式により、前記音声サービスを支援すると指示する。
【００８４】
例えば、緊急サービス支援指示（ｉｎｄｉｃａｔｏｒ）による支援の指示（ｉｎｄｉｃａｔｅ）、バックオフ方式による緊急サービスの支援指示、緊急サービス支援指示（ｉｎｄｉｃａｔｏｒ）による支援の指示（ｉｎｄｉｃａｔｅ）且つバックオフ方式による緊急サービス支援の指示（ｉｎｄｉｃａｔｏｒ）による支援の指示（ｉｎｄｉｃａｔｅ）、ＰＳドメイン音声サービス支援指示（ｉｎｄｉｃａｔｏｒ）による支援の指示（ｉｎｄｉｃａｔｅ）、サービス要求方式によるＥＰＳバックオフ支援の指示（ｉｎｄｉｃａｔｏｒ）による支援の指示（ｉｎｄｉｃａｔｅ）、ＰＳドメイン音声サービス支援指示（ｉｎｄｉｃａｔｏｒ）による支援の指示（ｉｎｄｉｃａｔｅ）且つサービス要求方式によるＥＰＳバックオフ支援の指示（ｉｎｄｉｃａｔｏｒ）による支援の指示（ｉｎｄｉｃａｔｅ）の少なくとも１つが満たされた場合に、上記サービス指示情報は、緊急サービスの傾向情報及び前記音声サービスの傾向情報の少なくとも１つを含む。
【００８５】
選択可能に、緊急サービス支援指示（ｉｎｄｉｃａｔｏｒ）による支援の指示（ｉｎｄｉｃａｔｅ）且つバックオフ方式による緊急サービス支援の指示による支援の指示の場合、サービスの傾向情報は、緊急サービス傾向情報を含む。また、ＰＳドメイン音声サービス支援指示による支援の指示且つサービス要求方式によるＥＰＳバックオフの支援指示による前記サービスの支援指示の場合、サービスの傾向情報は、緊急サービス傾向情報を含む。
【００８６】
また、前記サービスの支援情報により、前記サービスを支援することを指示する場合、端末は、前記サービスのＰＤＵセッション確立を開始することができる。前記バックオフ方式による前記サービス支援情報により、バックオフ方式による前記サービスの支援を支援することを指示する場合、端末は、前記サービスのサービス要求を開始することができる。従って、端末が異なる条件において異なる要求を開始することが可能となり、端末のサービス性能をさらに向上させる。
【００８７】
選択可能に、前記サービスの傾向情報は、前記サービスのＰＤＵセッション確立を開始する傾向の傾向情報、前記サービスのサービス要求を開始する傾向の傾向情報、前記サービスのＰＤＵセッション確立を優先的に開始し且つその次に前記サービスのサービス要求を開始する傾向の傾向情報、及び、前記サービスのサービス要求を優先的に開始し且つその次に前記サービスのＰＤＵセッション確立を開始する傾向の傾向情報の少なくとも１つを含む。
【００８８】
例えば、前記緊急サービスの傾向情報は、緊急サービスのＰＤＵセッション確立を開始する傾向の傾向情報、緊急サービスのサービス要求を開始する傾向の傾向情報、緊急サービスのＰＤＵセッション確立を優先的に開始しその次に緊急サービスのサービス要求を開始する傾向の傾向情報、及び、緊急サービスのサービス要求を優先的に開始しその次に緊急サービスのＰＤＵセッション確立を開始する傾向の傾向情報の少なくとも１つを含む。
前記音声サービスの傾向情報は、音声サービスのＰＤＵセッション確立を開始する傾向の傾向情報、音声サービスのサービス要求を開始する傾向の傾向情報、音声サービスのＰＤＵセッション確立を優先的に開始しその次に音声サービスのサービス要求を開始する傾向の傾向情報、及び、音声サービスのサービス要求を優先的に開始しその次に音声サービスのＰＤＵセッション確立を開始する傾向の傾向情報の少なくとも１つを含む。
【００８９】
上記のサービスの傾向情報により、端末が対応する方式でサービスを開始することが可能となり、端末がどのような方式でサービスを開始するかを知らないことを回避でき、端末のサービス性能を向上させることができる。
【００９０】
なお、端末は、上記サービスの傾向情報に基づいて、対応するサービス動作を開始することができる。例えば、緊急サービス又は音声サービスの開始が必要な場合には、傾向情報に基づいて、サービス要求又はＰＤＵセッション要求を開始したり、緊急サービスのＰＤＵセッション確立のみを開始する傾向である場合には、緊急サービスのＰＤＵセッション確立を開始したり、緊急サービスのサービス要求のみを開始する傾向である場合には、緊急サービスのサービス要求を開始したり、緊急サービスのＰＤＵセッション確立が優先的に開始される場合には、緊急サービスのＰＤＵセッション確立を優先的に開始したり、緊急サービスのサービス要求が優先的に開始される場合には、緊急サービスのサービス要求を優先的に開始したりする。
【００９１】
選択可能な実施形態として、前記サービス指示情報は、位置エリアのサービス指示情報であり、ここで、異なる位置エリアには、各々に対応するサービス指示情報が存在する。
【００９２】
この実施形態において、位置エリア（例えばＴＡ）別に指示することができる。それにより、位置エリア別にサービス指示情報を区別すること、且つ異なる位置エリア（例えばＴＡ）に対応可能なサービス指示情報を実現することができる。さらに、ＲＡＴを区別することにより、異なる位置エリア（例えば、ＴＡ）で異なるＲＡＴのサービス指示情報が異なることを実現し、サービス指示情報の精度を高める。
【００９３】
本実施例において、図２に示した実施例にさらに多様な代替実施形態を追加し、端末の効率的なサービスを可能にし、端末のサービス性能を向上させることができるという効果を奏する。
【００９４】
図を参照する。図４は、本開示の実施例の他のサービス指示方法のフローチャートである。この方法は、第１ネットワークユニットに応用される。図４に示すように、以下のステップを含む。
【００９５】
ステップ４０１において、サービス能力情報を取得する。
【００９６】
ステップ４０２において、緊急サービス及び音声サービスの少なくとも１つを含むサービスの支援情報、サービス操作情報及び前記サービスの傾向情報の少なくとも１つを含むサービス指示情報を、前記取得したサービス能力情報に基づいて確認する。
【００９７】
選択可能に、前記のサービス能力情報を取得することは、
端末から、前記端末が前記サービスを支援するか否かを指示するための前記端末の前記サービスの能力情報を受信すること、及び、第２ネットワークユニットから、前記第２ネットワークユニットが前記サービスを支援するか否かを指示するための前記第２ネットワークユニットの前記サービスの能力情報を受信することの少なくとも１つを含む。
【００９８】
選択可能に、前記端末のサービス能力情報は、
非バックオフ方式による前記サービスの支援を支援するか否か、バックオフ方式による前記サービスの支援を支援するか否か、ＥＰＳを支援するか否か、ＥＰＳへのハンドオーバーを支援するか否か、ＥＰＳへのリダイレクトを支援するか否か、前記サービスのＰＤＵセッション確立の開始を支援するか否か、及び、前記サービスのサービス要求の開始を支援するか否かの少なくとも１つを含み、
及び／又は、
前記第２ネットワークユニットのサービス能力情報は、
非バックオフ方式による前記サービスの支援を支援するか否か、バックオフ方式による前記サービスの支援を支援するか否か、前記サービスを支援するネットワークへの端末のハンドオーバーを支援するか否か、ＥＰＳへの端末のハンドオーバーを支援するか否か、ＥＰＳへの端末のリダイレクトを支援するか否か、及び、直接的に前記サービスを支援するか否かの少なくとも１つを含む。
【００９９】
選択可能に、前記サービス指示情報を確認した後に、
前記方法は、前記サービス指示情報を端末に送信すること、及び、前記サービス指示情報を第２ネットワークユニットに送信することの少なくとも１つをさらに含む。
【０１００】
なお、上記の前記サービス指示情報を端末に送信することは、選択可能であり、例えば、第２ネットワークユニットのみに送信し、第２ネットワークユニットが、上記サービスに関する操作を実行するように、サービス指示情報に基づいて端末をスケジューリングしたり、第２ネットワークユニットにより、上記サービス指示情報を端末に送信したりする。
【０１０１】
選択可能に、前記サービスの支援情報は、サービス支援指示及びサービス支援種別情報の少なくとも１つを含む。
【０１０２】
選択可能に、前記サービス支援指示は、前記サービスを支援するか否かを指示し、
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する。
【０１０３】
選択可能に、前記ＥＰＳが前記サービスを支援するか否かは、
ＥＰＳへのハンドオーバーによる前記サービスの支援を支援するか否か、及び、ＥＰＳへのリダイレクトによる前記サービスの支援を支援するか否かの少なくとも１つを含む。
【０１０４】
選択可能に、前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。
【０１０５】
選択可能に、前記サービス指示情報は、バックオフ方式による前記サービスの支援を支援するか否かを指示するための指示情報をさらに含む。
【０１０６】
選択可能に、前記サービス操作情報は、前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む。
【０１０７】
選択可能に、所定の条件を満たした場合、前記サービス指示情報は、前記サービスの傾向情報を含む。
【０１０８】
選択可能に、前記所定の条件を満たすことは、
前記サービスの支援情報により、前記サービスを支援すると指示すること、及び、前記バックオフ方式による前記サービスの支援情報により、バックオフ方式による前記サービスの支援を支援すると指示することの少なくとも１つを含む。
【０１０９】
選択可能に、前記サービスの傾向情報は、
前記サービスのＰＤＵセッション確立を開始する傾向の傾向情報、前記サービスのサービス要求を開始する傾向の傾向情報、前記サービスのＰＤＵセッション確立を優先的に開始し且つその次に前記サービスのサービス要求を開始する傾向の傾向情報、及び、前記サービスのサービス要求を優先的に開始し且つその次に前記サービスのＰＤＵセッション確立を開始する傾向の傾向情報の少なくとも１つを含む。
【０１１０】
選択可能に、前記サービス指示情報は、位置エリアのサービス指示情報であり、ここで、異なる位置エリアには、各々に対応するサービス指示情報が存在する。すなわち、異なる位置エリア（例えばＴＡ）でのサービス指示情報は、異なってもよい。
【０１１１】
なお、本実施例は、図２〜図３に示す実施例に対応する第１ネットワークユニットの実施形態であり、その具体的な実施形態について、図２〜図３に示した実施例の関連説明を参照し、同様の効果を奏することもできるので、重複を避けるために、ここでは繰り返して記載しない。
【０１１２】
図を参照する。図５は、本開示の実施例の他のサービス指示方法のフローチャートである。この方法は、第２ネットワークユニットに応用される。図５に示すように、以下のステップを含む。
【０１１３】
ステップ５０１において、緊急サービス及び音声サービスの少なくとも１つを含むサービスの支援情報、サービス操作情報及び前記サービスの傾向情報の少なくとも１つを含むサービス指示情報を取得する。
【０１１４】
ステップ５０２において、前記取得したサービス指示情報に基づいて、前記サービスに関する操作を行う。
【０１１５】
ここで、前記の前記サービスに関する操作を行うことは、ユーザ端末が開始した上記サービスのＰＤＵセッション又はＱｏＳフローの確立要求を上記サービス指示情報に基づいて受け付けること、端末をｅＬＴＥにハンドオーバーすること、端末をＥＰＳへハンドオーバーすること、又は端末をＥＰＳへリダイレクトするなどである。これについて、本開示の実施例において限定しない。
【０１１６】
選択可能に、前記のサービス指示情報を取得する前に、
前記方法は、前記第２ネットワークユニットが前記サービスを支援するか否かを指示するための前記第２ネットワークユニットの前記サービスの能力情報を第１ネットワークユニットに送信することをさらに含む。
【０１１７】
選択可能に、前記サービスの支援情報は、サービス支援指示及びサービス支援種別情報の少なくとも１つを含む。
【０１１８】
選択可能に、前記サービス支援指示は、前記サービスを支援するか否かを指示し、
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する。
【０１１９】
選択可能に、前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。
【０１２０】
選択可能に、前記サービス指示情報は、バックオフ方式による前記サービスの支援を支援するか否かを指示するための指示情報をさらに含む。
【０１２１】
選択可能に、前記サービス操作情報は、前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む。一実施形態において、前記サービス支援情報にサービス支援指示（例えば前記サービスを支援するか否かを指示する）が含まれる場合、前記セッション操作情報は、前記サービスのＰＤＵセッションを受け付ける指示情報、端末をｅＬＴＥにハンドオーバーすること、端末をＥＰＳにハンドオーバーすること、及び、端末をＥＰＳにリダイレクトすることの少なくとも１つを指示する。他の実施形態において、前記サービス支援情報には、バックオフ方式による前記サービスの支援を支援する指示情報が含まれる場合、前記セッション操作情報は、端末をｅＬＴＥにハンドオーバーすること、端末をＥＰＳにハンドオーバーすること、及び、端末をＥＰＳにリダイレクトすることの少なくとも１つを指示する。
【０１２２】
選択可能に、前記サービス指示情報は、位置エリアのサービス指示情報であり、ここで、異なる位置エリアには、各々に対応するサービス指示情報が存在する。すなわち、異なる位置エリア（例えばＴＡ）でのサービス指示情報は、異なってもよい。
【０１２３】
選択可能に、前記の前記取得したサービス指示情報に基づいて前記サービスに関する操作を行うことは、
前記サービスのＰＤＵセッション又はＱｏＳフローの確立要求を受信すること、及び／又は、セッション操作情報を受信することを含む。
【０１２４】
選択可能に、前記第２ネットワークユニットが、前記サービスのＰＤＵセッション又はＱｏＳフローの確立要求を受信し、及び／又は、セッション操作情報を受信した場合、前記の前記取得したサービス指示情報に基づいて前記サービスに関する操作を行うことは、以下の第１条件、第２条件、第３条件、及び第４条件の少なくとも１つを含む：
第１条件を満たす場合、前記サービスのＰＤＵセッション又はＱｏＳフローの確立要求を受信することと、
ここで、前記第１条件は、前記第２ネットワークユニットがＮＲ基地局であり且つＮＲが前記サービスを支援することが前記サービス支援指示情報により指示されること、前記第２ネットワークユニットがｅＬＴＥ基地局であり且つｅＬＴＥが前記サービスを支援することが前記サービス支援指示情報により指示されること、及び、前記サービスのＰＤＵセッション又はＱｏＳフローの確立要求を受け付けることが前記セッション操作情報により指示されることの少なくとも１つを含み、
第２条件を満たす場合、端末をｅＬＴＥにハンドオーバーすることと、
ここで、前記第２条件は、前記第２ネットワークユニットがＮＲ基地局であり、且つ、ＮＲが前記サービスを支援しないこととｅＬＴＥが前記サービスを支援することが前記サービス支援指示情報により指示されること、及び、端末をｅＬＴＥにハンドオーバーすることが前記セッション操作情報により指示されることの少なくとも１つを含み、
第３条件を満たす場合、端末をＥＰＳにハンドオーバーすることと、
ここで、前記第３条件は、前記第２ネットワークユニットがＮＲ基地局又はｅＬＴＥ基地局であり、且つ、ＮＲが前記サービスを支援しないことと、ｅＬＴＥが前記サービスを支援しないことと、ＥＰＳへのハンドオーバーによる前記サービスの支援を支援することとが前記サービス支援指示情報により指示されること、及び、端末をＥＰＳにハンドオーバーすることが前記セッション操作情報により指示されることの少なくとも１つを含み、
第４条件を満たす場合、端末をＥＰＳにリダイレクトすることと、
ここで、前記第４条件は、前記第２ネットワークユニットがＮＲ基地局又はｅＬＴＥ基地局であり、且つ、ＮＲが前記サービスを支援しないことと、ｅＬＴＥが前記サービスを支援しないことと、ＥＰＳへのリダイレクトによる前記サービスの支援を支援することとが前記サービス支援指示情報により指示されること、及び、端末をＥＰＳにリダイレクトすることが前記セッション操作情報により指示されることの少なくとも１つを含む
ものである。
【０１２５】
選択可能に、前記第２ネットワークユニットがセッション操作情報を受信すると、前記の前記取得したサービス指示情報に基づいて、前記サービスに関する操作を行うことは、以下の少なくとも１つを含む。
前記セッション操作情報により、端末をｅＬＴＥへハンドオーバーすると指示する場合、端末をｅＬＴＥへハンドオーバーする。
前記セッション操作情報により、端末をＥＰＳへハンドオーバーすると指示する場合、端末をＥＰＳへハンドオーバーする。
前記セッション操作情報により、端末をＥＰＳへリダイレクトすると指示する場合、端末をｅＬＴＥへリダイレクトする。
【０１２６】
なお、本実施例は、図２〜図４に示した実施例に対応する第２ネットワークユニットの実施形態であり、その具体的な実施形態について、図２〜図３に示した実施例の関連説明を参照し、同様の効果を奏することもできるので、重複を避けるために、ここでは繰り返して記載しない。
【０１２７】
図を参照する。図６は、本開示の実施例の他のサービス指示方法の概略図であり、図６に示すように、以下のステップを含む。
【０１２８】
ステップ６０１において、端末は、ログイン要求メッセージをコアネットワークユニットに送信する。選択可能に、前記メッセージには、端末のサービス支援能力情報が含まれる。
【０１２９】
ステップ６０２において、コアネットワークユニットは、ログイン受付メッセージを端末に送信する。
【０１３０】
ここで、コアネットワークユニット（例えばＡＭＦ）は、ログイン要求を受信すると、端末の緊急サービス支援情報、緊急サービス傾向情報、音声サービス支援情報、音声サービス傾向情報の少なくとも１つを決定する。その後、コアネットワークユニット（例えば、ＡＭＦ）は、ログイン受付メッセージをＵＥに送信する。選択可能に、前記メッセージには、緊急サービス支援情報、緊急サービス傾向情報、音声サービス支援情報、音声サービス傾向情報の少なくとも１つを含む。
【０１３１】
なお、緊急サービス支援情報、緊急サービス傾向情報、音声サービス支援情報、音声サービス傾向情報については、図２〜図５に示した実施例におけるサービス指示情報の関連説明を参照し、ここでは繰り返して記載せず、且つ同様の効果を奏することができる。
【０１３２】
図を参照する。図７は、本開示の実施例の他のサービス指示方法の概略図であり、図７に示されるように、以下のステップを含む。
【０１３３】
ステップ７０１において、無線アクセスネットワークユニットは、ＮＧインターフェース確立要求メッセージをコアネットワークユニットに送信する。
【０１３４】
ステップ７０２において、コアネットワークユニットは、ＮＧインターフェース確立応答メッセージを無線アクセスネットワークユニットに送信する。
【０１３５】
ここで、ＮＧインターフェースは、無線アクセスネットワークユニットとコアネットワークユニットとの間のインターフェースである。
【０１３６】
上記ＮＧインターフェース確立要求メッセージは、無線アクセスネットワークの能力を含み、例えば、緊急サービス支援情報、音声サービス支援情報の少なくとも１つを含む。
【０１３７】
また、上記ＮＧインターフェース確立応答メッセージは、コアネットワークユニットの能力を含み、例えば緊急サービス支援情報、音声サービス支援情報の少なくとも１つを含む。
【０１３８】
なお、緊急サービス支援情報、音声サービス支援情報については、図２〜図５に示した実施例におけるサービス指示情報の関連説明を参照し、ここでは繰り返して記載せず、且つ同様の効果を奏することができる。
【０１３９】
図を参照する。図８は、本開示の実施例の他のサービス指示方法の概略図であり、図８に示されるように、以下のステップを含む。
【０１４０】
ステップ８０１において、第１無線アクセスネットワークユニットは、Ｘｎインターフェース確立要求メッセージを第２無線アクセスネットワークユニットに送信する。
【０１４１】
ステップ８０２において、第２無線アクセスネットワークユニットは、Ｘｎインターフェース確立応答メッセージを第１無線アクセスネットワークユニットに送信する。
【０１４２】
ここで、Ｘｎインターフェースは、第１無線アクセスネットワークユニットと第２無線アクセスネットワークユニットとの間のインターフェースである。
【０１４３】
上記Ｘｎインターフェース確立要求メッセージは、第１無線アクセスネットワークの能力を含み、例えば、緊急サービス支援情報、音声サービス支援情報の少なくとも１つを含む。
【０１４４】
また、上記Ｘｎインターフェース確立応答メッセージは、第２無線アクセスネットワークの能力を含み、例えば、緊急サービス支援情報、音声サービス支援情報の少なくとも１つを含む。
【０１４５】
なお、緊急サービス支援情報、音声サービス支援情報については、図２〜図５に示した実施例におけるサービス指示情報の関連説明を参照し、ここでは繰り返して記載せず、且つ同様の効果を奏することができる。
【０１４６】
図９を参照する。図９は、本開示の実施例の他のサービス指示方法の概略図であり、図９に示されるように、以下のステップを含む。
【０１４７】
ステップ９０１において、端末は、緊急サービスを開始する必要があり、前記サービス指示情報に基づいて、ＰＤＵセッション確立要求メッセージをＡＭＦに送信する。
【０１４８】
ステップ９０２において、ＡＭＦは、セッションコンテキスト作成要求をＳＭＦに送信する。
【０１４９】
ステップ９０３において、ＳＭＦは、セッションコンテキスト作成応答をＡＭＦに送信する
【０１５０】
ステップ９０４において、ＳＭＦは、ＵＰＦとＮ４セッションプロセスを行う。
【０１５１】
ステップ９０５において、ＡＭＦとＳＭＦは、Ｎ１Ｎ２メッセージ伝送を行う。
【０１５２】
ここで、ステップ９０２〜９０５は、コアネットワークＰＤＵセッション確立プロセスであり、ここでは繰り返して記載しない。
【０１５３】
ステップ９０６において、ＡＭＦは、ＰＤＵセッションリソース確立要求メッセージを端末に送信する。選択可能に、前記メッセージには、前記サービス指示情報が含まれる。
【０１５４】
ここで、本実施例において、無線アクセスネットワークは、前記サービス指示情報に基づいて、前記サービスのＰＤＵセッション又はＱｏＳフローの確立要求を受け付けること、端末をｅＬＴＥにハンドオーバーすること、端末をＥＰＳにハンドオーバーすること、及び端末をＥＰＳにリダイレクトすることの少なくとも１つを決定する。それぞれステップ９０７ａ、９０７ｂ、９０７ｃ、９０７ｄである。
【０１５５】
図１０を参照する。図１０は、本開示の実施例の他のサービス指示方法の概略図であり、図１０に示されるように、以下のステップを含む。
【０１５６】
ステップ１００１において、端末は、緊急サービスを開始する必要があり、前記サービス指示情報に基づいて、サービス要求をＡＭＦに送信する。ネットワークは、バックオフ方式で緊急サービスを支援することを決定する。
【０１５７】
ステップ１００２において、ＡＭＦは、前記サービス指示情報を無線アクセスネットワークに送信する。送信される前記サービス指示情報には、前記サービス操作情報、すなわち緊急サービス操作情報が含まれ、具体的には、Ｎ２メッセージによって送信される。
【０１５８】
無線アクセスネットワークは、前記サービス指示情報に基づいて、端末をｅＬＴＥにハンドオーバーすること、端末をＥＰＳにハンドオーバーすること、及び、端末をＥＰＳにリダイレクトすることの少なくとも１つを決定する。それぞれステップ１００３ａ、１００３ｂ、１００３ｃである。
【０１５９】
図１１を参照する。図１１は、本開示の実施例の端末の構造図である。
図１１に示すように、端末１１００は、緊急サービス及び音声サービスの少なくとも１つを含むサービスの支援情報及び前記サービスの傾向情報の少なくとも１つを含むサービス指示情報を取得するための取得モジュール１１０１と、前記取得したサービス指示情報に基づいて、前記サービスに関する操作を行うための操作モジュール１１０２とを含む。
【０１６０】
選択可能に、図１２に示すように、前記端末１１００は、前記端末が前記サービスを支援するか否かを指示するための前記端末の前記サービスの能力情報を第１ネットワークユニットに送信するための送信モジュール１１０３をさらに含む。
【０１６１】
選択可能に、前記サービスの支援情報は、サービス支援指示及びサービス支援種別情報の少なくとも１つを含む。
【０１６２】
選択可能に、前記サービス支援指示は、前記サービスを支援するか否かを指示する。
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する。
【０１６３】
選択可能に、前記ＥＰＳが前記サービスを支援するか否かは、ＥＰＳへのハンドオーバーによる前記サービスの支援を支援するか否か、及びＥＰＳへのリダイレクトによる前記サービスの支援を支援するか否かの少なくとも１つを含む。
【０１６４】
選択可能に、前記サービス支援種別情報は、前記サービスを支援する種別を指示する。
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。
【０１６５】
選択可能に、前記サービス指示情報は、バックオフ方式による前記サービスの支援を支援するか否かを指示するための指示情報をさらに含む。
【０１６６】
選択可能に、前記サービスの傾向情報は、前記サービスのＰＤＵセッション確立を開始する傾向の傾向情報、前記サービスのサービス要求を開始する傾向の傾向情報、前記サービスのＰＤＵセッション確立を優先的に開始し且つその次に前記サービスのサービス要求を開始する傾向の傾向情報、及び、前記サービスのサービス要求を優先的に開始し且つその次に前記サービスのＰＤＵセッション確立を開始する傾向の傾向情報の少なくとも１つを含む。
【０１６７】
選択可能に、前記サービス指示情報は、位置エリアのサービス指示情報であり、ここで、異なる位置エリアには、各々に対応するサービス指示情報が存在する。すなわち、異なる位置エリア（例えばＴＡ）でのサービス指示情報は、異なってもよい。
【０１６８】
本開示の実施例の端末は、図２〜図３の方法の実施例において端末により実現される各プロセスを実現可能であるので、重複を避けるために、ここでは繰り返して記載せず、且つ前記サービスに関する操作を効果的に行うことができる。
【０１６９】
図１３を参照する。図１３は、本開示の実施例のネットワークユニットの構造図である。前記ネットワークユニットは、第１ネットワークユニットである。
図１３に示すように、ネットワークユニット１３００は、
サービス能力情報を取得するための取得モジュール１３０１と、
緊急サービス及び音声サービスの少なくとも１つを含むサービスの支援情報、サービス操作情報及び前記サービスの傾向情報の少なくとも１つを含むサービス指示情報を、前記取得したサービス能力情報に基づいて確認するための確認モジュール１３０２と、を含む。
【０１７０】
選択可能に、図１４に示すように、前記取得モジュール１３０１は、
端末から、前記端末が前記サービスを支援するか否かを指示するための前記端末の前記サービスの能力情報を受信するための第１受信ユニット１３０１１と、
第２ネットワークユニットから、前記第２ネットワークユニットが前記サービスを支援するか否かを指示するための前記第２ネットワークユニットの前記サービスの能力情報を受信するための第２受信ユニット１３０１２と、
の少なくとも１つを含む。
【０１７１】
選択可能に、前記端末のサービス能力情報は、
非バックオフ方式による前記サービスの支援を支援するか否か、バックオフ方式による前記サービスの支援を支援するか否か、ＥＰＳを支援するか否か、ＥＰＳへのハンドオーバーを支援するか否か、ＥＰＳへのリダイレクトを支援するか否か、前記サービスのＰＤＵセッション確立の開始を支援するか否か、及び、前記サービスのサービス要求の開始を支援するか否かの少なくとも１つを含み、
及び／又は、
前記第２ネットワークユニットのサービス能力情報は、
非バックオフ方式による前記サービスの支援を支援するか否か、バックオフ方式による前記サービスの支援を支援するか否か、前記サービスを支援するネットワークへの端末のハンドオーバーを支援するか否か、ＥＰＳへの端末のハンドオーバーを支援するか否か、ＥＰＳへの端末のリダイレクトを支援するか否か、及び、直接的に前記サービスを支援するか否かの少なくとも１つを含む。
【０１７２】
選択可能に、図１５に示すように、前記ネットワークユニット１３００は、
前記サービス指示情報を端末に送信するための第１送信モジュール１３０３と、
前記サービス指示情報を第２ネットワークユニットに送信するための第２送信モジュール１３０４と、
の少なくとも１つをさらに含む。
【０１７３】
選択可能に、前記サービスの支援情報は、サービス支援指示及びサービス支援種別情報の少なくとも１つを含む。
【０１７４】
選択可能に、前記サービス支援指示は、前記サービスを支援するか否かを指示する。
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する。
【０１７５】
選択可能に、前記ＥＰＳが前記サービスを支援するか否かは、ＥＰＳへのハンドオーバーによる前記サービスの支援を支援するか否か、及び、ＥＰＳへのリダイレクトによる前記サービスの支援を支援するか否かの少なくとも１つを含む。
【０１７６】
選択可能に、前記サービス支援種別情報は、前記サービスを支援する種別を指示する。
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。
【０１７７】
選択可能に、前記サービス指示情報は、バックオフ方式による前記サービスの支援を支援するか否かを指示するための指示情報をさらに含む。
【０１７８】
選択可能に、前記サービス操作情報は、
前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む。
【０１７９】
選択可能に、所定の条件を満たした場合、前記サービス指示情報は、前記サービスの傾向情報を含む。
【０１８０】
選択可能に、前記所定の条件を満たすことは、
前記サービスの支援情報により、前記サービスを支援すると指示すること、及び、前記バックオフ方式による前記サービスの支援情報により、バックオフ方式による前記サービスの支援を支援すると指示することの少なくとも１つを含む。
【０１８１】
選択可能に、前記サービスの傾向情報は、
前記サービスのＰＤＵセッション確立を開始する傾向の傾向情報、前記サービスのサービス要求を開始する傾向の傾向情報、前記サービスのＰＤＵセッション確立を優先的に開始し且つその次に前記サービスのサービス要求を開始する傾向の傾向情報、及び、前記サービスのサービス要求を優先的に開始し且つその次に前記サービスのＰＤＵセッション確立を開始する傾向の傾向情報の少なくとも１つを含む。
【０１８２】
選択可能に、前記サービス指示情報は、位置エリアのサービス指示情報であり、ここで、異なる位置エリアには、各々に対応するサービス指示情報が存在する。
【０１８３】
本開示の実施例のネットワークユニットは、図４の方法の実施例において第１ネットワークユニットにより実現される各プロセスを実現可能であるので、重複を避けるために、ここでは繰り返して記載せず、且つ前記サービスに関する操作を端末が効果的に行うことができる。
【０１８４】
図１６を参照する。図１６は、本開示の実施例のネットワークユニットの構造図である。前記ネットワークユニットは、第２ネットワークユニットである。
図１６に示すように、ネットワークユニット１６００は、
緊急サービス及び音声サービスの少なくとも１つを含むサービスの支援情報、サービス操作情報及び前記サービスの傾向情報の少なくとも１つを含むサービス指示情報を取得するための取得モジュール１６０１と、
前記取得したサービス指示情報に基づいて、前記サービスに関する操作を行うための操作モジュール１６０２と、を含む。
【０１８５】
選択可能に、図１７に示すように、前記ネットワークユニット１６００は、
前記第２ネットワークユニットが前記サービスを支援するか否かを指示するための前記第２ネットワークユニットの前記サービスの能力情報を第１ネットワークユニットに送信するための送信モジュール１６０３をさらに含む。
【０１８６】
選択可能に、前記サービスの支援情報は、サービス支援指示及びサービス支援種別情報の少なくとも１つを含む。
【０１８７】
選択可能に、前記サービス支援指示は、前記サービスを支援するか否かを指示する。
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する。
【０１８８】
選択可能に、前記サービス支援種別情報は、前記サービスを支援する種別を指示する。
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。
【０１８９】
選択可能に、前記サービス指示情報は、バックオフ方式による前記サービスの支援を支援するか否かを指示するための指示情報をさらに含む。
【０１９０】
選択可能に、前記サービス操作情報は、前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む。
【０１９１】
選択可能に、前記サービス指示情報は、位置エリアのサービス指示情報であり、ここで、異なる位置エリアには、各々に対応するサービス指示情報が存在する。
【０１９２】
選択可能に、操作モジュール１６０２は、前記サービスのＰＤＵセッション又はＱｏＳフローの確立要求を受信すること、及び／又は、セッション操作情報を受信することに用いられる。
【０１９３】
選択可能に、前記第２ネットワークユニットが、前記サービスのＰＤＵセッション又はＱｏＳフローの確立要求を受信し、及び／又は、セッション操作情報を受信した場合、前記操作モジュール１６０２は、以下の少なくとも１つを実行することに用いられる。
第１条件を満たす場合、前記サービスのＰＤＵセッション又はＱｏＳフローの確立要求を受信する。ここで、前記第１条件は、前記第２ネットワークユニットがＮＲ基地局であり且つＮＲが前記サービスを支援することが前記サービス支援指示情報により指示されること、前記第２ネットワークユニットがｅＬＴＥ基地局であり且つｅＬＴＥが前記サービスを支援することが前記サービス支援指示情報により指示されること、及び、前記サービスのＰＤＵセッション又はＱｏＳフローの確立要求を受け付けることが前記セッション操作情報により指示されることの少なくとも１つを含む。
第２条件を満たす場合、端末をｅＬＴＥにハンドオーバーする。ここで、前記第２条件は、前記第２ネットワークユニットがＮＲ基地局であり、且つ、ＮＲが前記サービスを支援しないこととｅＬＴＥが前記サービスを支援することが前記サービス支援指示情報により指示されること、及び、端末をｅＬＴＥにハンドオーバーすることが前記セッション操作情報により指示されることの少なくとも１つを含む。
第３条件を満たす場合、端末をＥＰＳにハンドオーバーする。ここで、前記第３条件は、前記第２ネットワークユニットがＮＲ基地局又はｅＬＴＥ基地局であり、且つ、ＮＲが前記サービスを支援しないことと、ｅＬＴＥが前記サービスを支援しないことと、ＥＰＳへのハンドオーバーによる前記サービスの支援を支援することとが前記サービス支援指示情報により指示されること、及び、端末をＥＰＳにハンドオーバーすることが前記セッション操作情報により指示されることの少なくとも１つを含む。
第４条件を満たす場合、端末をＥＰＳにリダイレクトする。ここで、前記第４条件は、前記第２ネットワークユニットがＮＲ基地局又はｅＬＴＥ基地局であり、且つ、ＮＲが前記サービスを支援しないことと、ｅＬＴＥが前記サービスを支援しないことと、ＥＰＳへのリダイレクトによる前記サービスの支援を支援することとが前記サービス支援指示情報により指示されること、及び、端末をＥＰＳにリダイレクトすることが前記セッション操作情報により指示されることの少なくとも１つを含む。
【０１９４】
選択可能に、前記操作モジュール１６０２は、前記サービス操作情報に基づいて、前記サービス操作情報により指示される前記サービスに関する操作を行う。
【０１９５】
本開示の実施例のネットワークユニットは、図５の方法の実施例において第２ネットワークユニットにより実現される各プロセスを実現可能であるので、重複を避けるために、ここでは繰り返して記載せず、且つ前記サービスに関する操作を端末が効果的に行うことができる。
【０１９６】
図１８は、本開示の各実施例を実現する端末のハードウェア構造図である。
【０１９７】
この端末１８００は、ラジオ周波数ユニット１８０１と、ネットワークモジュール１８０２と、音声出力ユニット１８０３と、入力ユニット１８０４と、センサ１８０５と、表示ユニット１８０６と、ユーザ入力ユニット１８０７と、インターフェースユニット１８０８と、メモリ１８０９と、プロセッサ１８１０と、電源１８１１などの構成要素を含むが、これらに限定されない。図１８に示される端末の構造は、端末を限定するものではなく、端末は、図示されるよりも多い又は少ない構成要素を含むことができ、又は特定の構成要素を組み合わせることができ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【０１９８】
ラジオ周波数ユニット１８０１は、
緊急サービス及び音声サービスの少なくとも１つを含むサービスの支援情報及び前記サービスの傾向情報の少なくとも１つを含むサービス指示情報を取得することと、
前記取得したサービス指示情報に基づいて、前記サービスに関する操作を行うこととに用いられる。
【０１９９】
選択可能に、前記のサービス指示情報を取得する前に、ラジオ周波数ユニット１８０１は、さらに、
前記端末が前記サービスを支援するか否かを指示するための前記端末の前記サービスの能力情報を第１ネットワークユニットに送信することに用いられる。
【０２００】
選択可能に、前記サービスの支援情報は、サービス支援指示及びサービス支援種別情報の少なくとも１つを含む。
【０２０１】
選択可能に、前記サービス支援指示は、前記サービスを支援するか否かを指示する。
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する。
【０２０２】
選択可能に、前記ＥＰＳが前記サービスを支援するか否かは、ＥＰＳへのハンドオーバーによる前記サービスの支援を支援するか否か、及びＥＰＳへのリダイレクトによる前記サービスの支援を支援するか否かの少なくとも１つを含む。
【０２０３】
選択可能に、前記サービス支援種別情報は、前記サービスを支援する種別を指示する。
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。
【０２０４】
選択可能に、前記サービス指示情報は、バックオフ方式による前記サービスの支援を支援するか否かを指示するための指示情報をさらに含む。
【０２０５】
選択可能に、前記サービスの傾向情報は、
前記サービスのＰＤＵセッション確立を開始する傾向の傾向情報、前記サービスのサービス要求を開始する傾向の傾向情報、前記サービスのＰＤＵセッション確立を優先的に開始し且つその次に前記サービスのサービス要求を開始する傾向の傾向情報、及び、前記サービスのサービス要求を優先的に開始し且つその次に前記サービスのＰＤＵセッション確立を開始する傾向の傾向情報の少なくとも１つを含む。
【０２０６】
選択可能に、前記サービス指示情報は、位置エリアのサービス指示情報であり、ここで、異なる位置エリアには、各々に対応するサービス指示情報が存在する。
【０２０７】
端末１８００は、前記サービスに関する操作を効果的に行うことができる。
【０２０８】
本開示の実施例において、ラジオ周波数ユニット１８０１は、情報の送受信又は通話中で信号の送受信に用いられ、具体的に、基地局からのダウンリンクデータを受信した後、プロセッサ１８１０による処理に供し、また、アップリンクデータを基地局に送信する。一般に、ラジオ周波数ユニット１８０１は、アンテナ、少なくとも１つの増幅器、トランシーバ、結合器、低雑音増幅器、デュプレクサなどを含むが、それらに限定されない。また、ラジオ周波数ユニット１８０１は、無線通信システムを介してネットワークや他の機器と通信を行うこともできる。
【０２０９】
端末は、ネットワークモジュール１８０２を介して、電子メールの送受信、ウェブページの閲覧、ストリーミングメディアへのアクセスを支援するなど、無線ブロードバンドインターネットアクセスをユーザに提供する。
【０２１０】
音声出力ユニット１８０３は、ラジオ周波数ユニット１８０１やネットワークモジュール１８０２が受信した音声データや、メモリ１８０９に記憶された音声データを音声信号に変換して音声として出力することができる。また、音声出力ユニット１８０３は、端末１８００が実行する特定の機能に関する音声（例えば、呼出信号着信音、メッセージ着信音等）を出力してもよい。音声出力ユニット１８０３は、スピーカ、ブザー及びレシーバなどを含む。
【０２１１】
入力ユニット１８０４は、音声や映像の信号を受信することに用いられる。入力ユニット１８０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）１８０４１と、マイク１８０４２とを含む。処理された画像フレームは、表示ユニット１８０６上に表示される。グラフィックスプロセッサ１８０４１で処理された画像フレームは、メモリ１８０９（又は他の記憶媒体）に記憶されるか、又はラジオ周波数ユニット１８０１又はネットワークモジュール１８０２を介して送信される。マイク１８０４２は、音声を受信し、音声データに加工することができる。処理された音声データは、電話通話モードの場合、ラジオ周波数ユニット１８０１を介して移動体通信基地局に送信可能な形式に変換して出力することができる。
【０２１２】
端末１８００は、光センサ、モーションセンサ及び他のセンサのような少なくとも１つのセンサ１８０５を更に含む。具体的には、光センサは、周辺光センサ及び近接センサを含む。周辺光センサは、周辺光の明暗に応じて表示パネル１８０６１の輝度を調節し、近接センサは、端末１８００が耳に移動したときに表示パネル１８０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ１８０５は、指紋センサ、圧力センサ、虹彩センサ、分子センサ、ジャイロスコープ、気圧計、湿度計、温度計、赤外線センサなどを更に含むことができるが、ここでは枚挙しない。
【０２１３】
表示ユニット１８０６は、ユーザが入力した情報やユーザに提供した情報を表示するために用いられる。表示ユニット１８０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１８０６１を含んでもよい。
【０２１４】
ユーザ入力ユニット１８０７は、数字や文字情報の入力を受け付け、ユーザによる端末の設定や機能制御に関するキー信号の入力を行うことに用いられる。具体的に、ユーザ入力ユニット１８０７は、タッチパネル１８０７１と、その他の入力装置１８０７２とを含む。タッチパネル１８０７１は、タッチスクリーンとも呼ばれ、その上又は付近でのユーザのタッチ操作を取得可能である（たとえばユーザが指やスタイラスなどの任意の適切な物体や付属部材を用いたタッチパネル１８０７１の上又はタッチパネル１８０７１の付近での操作）。タッチパネル１８０７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１８１０に送り、プロセッサ１８１０からの命令を受信して実行する。なお、タッチパネル１８０７１は、抵抗膜式、静電容量式、赤外線、表面弾性波など、種々の方式を用いて実現することができる。ユーザ入力ユニット１８０７は、タッチパネル１８０７１の他に、他の入力装置１８０７２を含んでもよい。具体的に、他の入力装置１８７２は、物理的なキーボード、機能キー（例えば、音量調節キー、スイッチキーなど）、トラックボール、マウス、レバーを含むが、ここでは枚挙しない。
【０２１５】
更に、タッチパネル１８０７１は、表示パネル１８０６１に重ねられる。タッチパネル１８０７１は、その上又はその近くでタッチ操作を検出すると、プロセッサ１８１０に送信して、タッチイベントのタイプを決定する。次いで、プロセッサ１８１０は、タッチイベントのタイプに応じて、対応する視覚的出力を表示パネル１８０６１に提供する。図１８では、タッチパネル１８０７１と表示パネル１８０６１は、独立した２つの部品として端末の入出力機能を実現するが、実施例によっては、タッチパネル１８０７１と表示パネル１８０６１を一体化して端末の入出力機能を実現することもでき、具体的にここでは限定しない。
【０２１６】
インターフェースユニット１８０８は、外部装置と端末１８００とを接続するためのインターフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェースユニット１８０８は、外部装置から入力（たとえば、データ情報、電力など）を受信し、受信した入力を端末１８００内の１つ以上の要素に伝送するために使用されてもよく、又は端末１８００と外部装置との間でデータを伝送するために使用されてもよい。
【０２１７】
メモリ１８０９は、ソフトウェアプログラム及び様々なデータを格納するために使用される。メモリ１８０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ１８０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０２１８】
プロセッサ１８１０は、端末の制御センタであり、各種インターフェースや回線を用いて端末全体の各部を接続し、メモリ１８０９に格納されたソフトウェアプログラム及び／又はモジュールを実行、メモリ１８０９に格納されたデータを呼び出して端末の各種機能及び処理データを実行し、端末全体の監視を行う。プロセッサ１８１０は、１つ以上の処理ユニットを含んでもよい。選択可能に、プロセッサ１８１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ１８１０に統合されなくてもよいことが理解される。
【０２１９】
端末１８００は、各構成要素に電力を供給するためのバッテリのような電源１８１１を更に含んでもよい。選択可能に、電源１８１１は、電源管理システムを介してプロセッサ１８１０に論理的に接続されてもよく、電源管理システムを介して充電、放電、及び消費電力管理などを管理する機能を実現してもよい。
【０２２０】
また、端末１８００は、図示しない機能モジュールを更に含んでもよく、ここでの説明は省略する。
【０２２１】
選択可能に、本開示の実施例は、端末を更に提供する。
この端末は、プロセッサ１８１０と、メモリ１８０９と、メモリ１８０９に記憶されて前記プロセッサ１８１０で動作するコンピュータプログラムを含む。
このコンピュータプログラムがプロセッサ１８１０によって実行されると、上記サービス指示方法の実施例の各プロセスが実現され、且つ同一の技術効果を奏することができるので、重複を避けるために、ここでは繰り返して記載しない。
【０２２２】
図１９を参照する。図１９は、本開示の実施例の応答可能な他のネットワークユニットの構造図である。
このネットワークユニットは、第１ネットワークユニットである。図１９に示すように、このネットワークユニット１９００は、プロセッサ１９０１と、サービス能力情報を取得するためのトランシーバ１９０２と、メモリ１９０３と、バスインタフェースとを含む。
プロセッサ１９０１は、緊急サービス及び音声サービスの少なくとも１つを含むサービスの支援情報、サービス操作情報及び前記サービスの傾向情報の少なくとも１つを含むサービス指示情報を、前記取得したサービス能力情報に基づいて確認することに用いられる。
【０２２３】
選択可能に、前記トランシーバ１９０２により実行されるサービス能力情報を取得することは、
端末から、前記端末が前記サービスを支援するか否かを指示するための前記端末の前記サービスの能力情報を受信すること、及び、第２ネットワークユニットから、前記第２ネットワークユニットが前記サービスを支援するか否かを指示するための前記第２ネットワークユニットの前記サービスの能力情報を受信することの少なくとも１つを含む。
【０２２４】
選択可能に、前記端末のサービス能力情報は、
非バックオフ方式による前記サービスの支援を支援するか否か、バックオフ方式による前記サービスの支援を支援するか否か、ＥＰＳを支援するか否か、ＥＰＳへのハンドオーバーを支援するか否か、ＥＰＳへのリダイレクトを支援するか否か、前記サービスのＰＤＵセッション確立の開始を支援するか否か、及び、前記サービスのサービス要求の開始を支援するか否かの少なくとも１つを含み、
及び／又は、
前記第２ネットワークユニットのサービス能力情報は、
非バックオフ方式による前記サービスの支援を支援するか否か、バックオフ方式による前記サービスの支援を支援するか否か、前記サービスを支援するネットワークへの端末のハンドオーバーを支援するか否か、ＥＰＳへの端末のハンドオーバーを支援するか否か、ＥＰＳへの端末のリダイレクトを支援するか否か、及び、直接的に前記サービスを支援するか否かの少なくとも１つを含む。
【０２２５】
選択可能に、前記サービス指示情報を確認した後に、トランシーバ１９０２は、さらに、
前記サービス指示情報を端末に送信すること、及び、前記サービス指示情報を第２ネットワークユニットに送信することの少なくとも１つを実行することに用いられる。
【０２２６】
選択可能に、前記サービスの支援情報は、サービス支援指示及びサービス支援種別情報の少なくとも１つを含む。
【０２２７】
選択可能に、前記サービス支援指示は、前記サービスを支援するか否かを指示する。
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する。
【０２２８】
選択可能に、前記ＥＰＳが前記サービスを支援するか否かは、ＥＰＳへのハンドオーバーによる前記サービスの支援を支援するか否か、及び、ＥＰＳへのリダイレクトによる前記サービスの支援を支援するか否かの少なくとも１つを含む。
【０２２９】
選択可能に、前記サービス支援種別情報は、前記サービスを支援する種別を指示する。
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。
【０２３０】
選択可能に、前記サービス指示情報は、バックオフ方式による前記サービスの支援を支援するか否かを指示するための指示情報をさらに含む。
【０２３１】
選択可能に、前記サービス操作情報は、前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む。
【０２３２】
選択可能に、所定の条件を満たした場合、前記サービス指示情報は、前記サービスの傾向情報を含む。前記サービスの傾向情報は、前記緊急サービスの傾向情報及び前記音声サービスの傾向情報の少なくとも１つを含む。
【０２３３】
選択可能に、前記所定の条件を満たすことは、前記サービスの支援情報により、前記サービスを支援すると指示すること、及び、前記バックオフ方式による前記サービスの支援情報により、バックオフ方式による前記サービスの支援を支援すると指示することの少なくとも１つを含む。
【０２３４】
選択可能に、前記サービスの傾向情報は、前記サービスのＰＤＵセッション確立を開始する傾向の傾向情報、前記サービスのサービス要求を開始する傾向の傾向情報、前記サービスのＰＤＵセッション確立を優先的に開始し且つその次に前記サービスのサービス要求を開始する傾向の傾向情報、及び、前記サービスのサービス要求を優先的に開始し且つその次に前記サービスのＰＤＵセッション確立を開始する傾向の傾向情報の少なくとも１つを含む。
【０２３５】
選択可能に、前記サービス指示情報は、位置エリアのサービス指示情報であり、ここで、異なる位置エリアには、各々に対応するサービス指示情報が存在する。
【０２３６】
前記ネットワークユニット１９００は、端末にサービスを効果的に開始させることができる。
【０２３７】
ここで、トランシーバ１９０２は、プロセッサ１９０１の制御でデータを送受信することに用いられる。前記トランシーバ１９０２は、少なくとも２つのアンテナポートを含む。
【０２３８】
図１９において、バスアーキテクチャは、任意数の相互接続するバスとブリッジを含み、具体的に、プロセッサ１９０１をはじめとする１つ又は複数のプロセッサとメモリ１９０３をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本文においてさらなる記載をしない。バスインタフェースにより、インターフェースが提供される。トランシーバ１９０２は、複数の部品であってもよく、即ち送信機と受信機を含み、伝送媒体で他の各種類の装置と通信するユニットとして提供される。ユーザ端末によっては、ユーザインターフェース１９０４は、内部接続や外部接続する機器のインターフェースであってもよい。接続する機器は、キーパッド、ディスプレイ、スピーカ、マイクロフォン、ジョイスティックなどを含むが、それらに限られない。
【０２３９】
プロセッサ１９０１は、バスアーキテクチャと通常の処理を管理する。メモリ１９０３は、プロセッサ１９０１による操作実行時に使用されるデータを記憶できる。
【０２４０】
選択可能に、本開示の実施例は、プロセッサ１９０１と、メモリ１９０３と、メモリ１９０３に記憶されて前記プロセッサ１９０１で動作するコンピュータプログラムを含むネットワークユニットを更に提供する。このコンピュータプログラムがプロセッサ１９０１によって実行されると、上記サービス指示方法の実施例の各プロセスが実現され、且つ同一の技術効果を奏することができるので、重複を避けるために、ここでは繰り返して記載しない。
【０２４１】
図２０を参照する。図２０は、本開示の実施例の応用可能な別のネットワークユニットの構造図である。このネットワークユニットは、第２ネットワークユニットである。図２０に示すように、このネットワークユニット２０００は、プロセッサ２００１と、トランシーバ２００２と、メモリ２００３と、バスインタフェースを含む。
ここで、トランシーバ２００２は、緊急サービス及び音声サービスの少なくとも１つを含むサービスの支援情報、サービス操作情報及び前記サービスの傾向情報の少なくとも１つを含むサービス指示情報を取得することと、前記取得したサービス指示情報に基づいて、前記サービスに関する操作を行うこととに用いられる。
【０２４２】
選択可能に、前記のサービス指示情報を取得する前に、トランシーバ２００２は、さらに、
前記第２ネットワークユニットが前記サービスを支援するか否かを指示するための前記第２ネットワークユニットの前記サービスの能力情報を第１ネットワークユニットに送信することに用いられる。
【０２４３】
選択可能に、前記サービスの支援情報は、サービス支援指示及びサービス支援種別情報の少なくとも１つを含む。
【０２４４】
選択可能に、前記サービス支援指示は、前記サービスを支援するか否かを指示する。
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示する。
【０２４５】
選択可能に、前記サービス支援種別情報は、前記サービスを支援する種別を指示する。
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する。
【０２４６】
選択可能に、前記サービス指示情報は、バックオフ方式による前記サービスの支援を支援するか否かを指示するための指示情報をさらに含む。
【０２４７】
選択可能に、前記サービス操作情報は、前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む。
【０２４８】
選択可能に、前記サービス指示情報は、位置エリアのサービス指示情報であり、ここで、異なる位置エリアには、各々に対応するサービス指示情報が存在する。
【０２４９】
選択可能に、前記の前記取得したサービス指示情報に基づいて前記サービスに関する操作を行うことは、前記サービスのＰＤＵセッション又はＱｏＳフローの確立要求を受信すること、及び／又は、セッション操作情報を受信することを含む。
【０２５０】
選択可能に、前記第２ネットワークユニットが、前記サービスのＰＤＵセッション又はＱｏＳフローの確立要求を受信し、及び／又は、セッション操作情報を受信した場合、前記の前記取得したサービス指示情報に基づいて前記サービスに関する操作を行うことは、
第１条件を満たす場合、前記サービスのＰＤＵセッション又はＱｏＳフローの確立要求を受信することと、
ここで、前記第１条件は、前記第２ネットワークユニットがＮＲ基地局であり且つＮＲが前記サービスを支援することが前記サービス支援指示情報により指示されること、前記第２ネットワークユニットがｅＬＴＥ基地局であり且つｅＬＴＥが前記サービスを支援することが前記サービス支援指示情報により指示されること、及び、前記サービスのＰＤＵセッション又はＱｏＳフローの確立要求を受け付けることが前記セッション操作情報により指示されることの少なくとも１つを含み、
第２条件を満たす場合、端末をｅＬＴＥにハンドオーバーすることと、
ここで、前記第２条件は、前記第２ネットワークユニットがＮＲ基地局であり、且つ、ＮＲが前記サービスを支援しないこととｅＬＴＥが前記サービスを支援することが前記サービス支援指示情報により指示されること、及び、端末をｅＬＴＥにハンドオーバーすることが前記セッション操作情報により指示されることの少なくとも１つを含み、
第３条件を満たす場合、端末をＥＰＳにハンドオーバーすることと、
ここで、前記第３条件は、前記第２ネットワークユニットがＮＲ基地局又はｅＬＴＥ基地局であり、且つ、ＮＲが前記サービスを支援しないことと、ｅＬＴＥが前記サービスを支援しないことと、ＥＰＳへのハンドオーバーによる前記サービスの支援を支援することとが前記サービス支援指示情報により指示されること、及び、端末をＥＰＳにハンドオーバーすることが前記セッション操作情報により指示されることの少なくとも１つを含み、
第４条件を満たす場合、端末をＥＰＳにリダイレクトすることと、
ここで、前記第４条件は、前記第２ネットワークユニットがＮＲ基地局又はｅＬＴＥ基地局であり、且つ、ＮＲが前記サービスを支援しないことと、ｅＬＴＥが前記サービスを支援しないことと、ＥＰＳへのリダイレクトによる前記サービスの支援を支援することとが前記サービス支援指示情報により指示されること、及び、端末をＥＰＳにリダイレクトすることが前記セッション操作情報により指示されることの少なくとも１つを含み、
の少なくとも１つを含む。
【０２５１】
前記ネットワークユニット２０００は、端末にサービスを効果的に開始させることができる。
【０２５２】
ここで、トランシーバ２００２は、プロセッサ２００１による制御でデータを送受信することに用いられる。前記トランシーバ２００２は、少なくとも２つのアンテナポートを含む。
【０２５３】
図２０において、バスアーキテクチャは、任意数の相互接続するバスとブリッジを含み、具体的に、プロセッサ２００１をはじめとする１つ又は複数のプロセッサとメモリ２００３をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本文においてさらなる記載をしない。バスインタフェースにより、インターフェースが提供される。トランシーバ２００２は、複数の部品であってもよく、即ち送信機と受信機を含み、伝送媒体で他の各種類の装置と通信するユニットとして提供される。ユーザ端末によっては、ユーザインターフェース２００４は、内部接続や外部接続する機器のインターフェースであってもよい。接続する機器は、キーパッド、ディスプレイ、スピーカ、マイクロフォン、ジョイスティックなどを含むが、それらに限られない。
【０２５４】
プロセッサ２００１は、バスアーキテクチャと通常の処理を管理する。メモリ２００３は、プロセッサ２００１による操作実行時に使用されるデータを記憶できる。
【０２５５】
選択可能に、本開示の実施例は、プロセッサ２００１と、メモリ２００３と、メモリ２００３に記憶されて前記プロセッサ２００１で動作するコンピュータプログラムを含むネットワークユニットを更に提供する。このコンピュータプログラムがプロセッサ２００１によって実行されると、上記サービス指示方法の実施例の各プロセスが実現され、且つ同一の技術効果を奏することができるので、重複を避けるために、ここでは繰り返して記載しない。
【０２５６】
本開示の実施例は、コンピュータプログラムが記憶されているコンピュータ読み取り可能な記憶媒体をさらに提供する。このコンピュータプログラムがプロセッサによって実行されると、端末側のサービス指示方法の実施例の各プロセスが実現され、又は、このコンピュータプログラムがプロセッサによって実行されると、第１ネットワークユニット側のサービス指示方法の実施例の各プロセスが実現され、又は、このコンピュータプログラムがプロセッサによって実行されると、第２ネットワークユニット側のサービス指示方法の実施例の各プロセスが実現される。
【０２５７】
ここで、前記コンピュータ読み取り可能な記憶媒体は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど等である。
【０２５８】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素をさらに含み、又はこのようなプロセス、方法、モノ又は装置に固有の要素をさらに含む。特に限定されない限り、「…を１つ含む」の表現によって限定される要素について、当該要素を含むプロセス、方法、モノ又は装置に他の同一要素の存在を除外しない。
【０２５９】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０２６０】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021511727.tif 000005
【図２】
2021511727.tif 000006
【図３】
2021511727.tif 000007
【図４】
2021511727.tif 000008
【図５】
2021511727.tif 000009
【図６】
2021511727.tif 000010
【図７】
2021511727.tif 000011
【図８】
2021511727.tif 000012
【図９】
2021511727.tif 000013
【図１０】
2021511727.tif 000014
【図１１】
2021511727.tif 000015
【図１２】
2021511727.tif 000016
【図１３】
2021511727.tif 000017
【図１４】
2021511727.tif 000018
【図１５】
2021511727.tif 000019
【図１６】
2021511727.tif 000020
【図１７】
2021511727.tif 000021
【図１８】
2021511727.tif 000022
【図１９】
2021511727.tif 000023
【図２０】
2021511727.tif 000024
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
端末に応用されるサービス指示方法において、
緊急サービス及び音声サービスの少なくとも１つを含むサービスの支援情報及び前記サービスの傾向情報の少なくとも１つを含むサービス指示情報を取得することと、
前記取得したサービス指示情報に基づいて、前記サービスに関する操作を行うことと、
を含む、サービス指示方法。
【請求項２】
前記サービスの支援情報は、サービス支援指示及びサービス支援種別情報の少なくとも１つを含み、
前記サービス支援指示は、前記サービスを支援するか否かを指示し、
又は、前記サービス支援指示は、ＮＲ（Ｎｅｗ  Ｒａｄｉｏ）が前記サービスを支援するか否か、ｅＬＴＥ（ｅｎｈａｎｃｅｄ  Ｌｏｎｇ  Ｔｅｒｍ  Ｅｖｏｌｕｔｉｏｎ）が前記サービスを支援するか否か、及び、ＥＰＳ（Ｅｖｏｌｖｅｄ  Ｐａｃｋｅｔ  Ｓｙｓｔｅｍ）が前記サービスを支援するか否かの少なくとも１つを指示し、
前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示する、請求項１に記載のサービス指示方法。
【請求項３】
第１ネットワークユニットに応用されるサービス指示方法において、
サービス能力情報を取得することと、
緊急サービス及び音声サービスの少なくとも１つを含むサービスの支援情報、サービス操作情報及び前記サービスの傾向情報の少なくとも１つを含むサービス指示情報を、前記取得したサービス能力情報に基づいて確認することと、
を含む、サービス指示方法。
【請求項４】
前記のサービス能力情報を取得することは、
端末から、前記端末が前記サービスを支援するか否かを指示するための前記端末の前記サービスの能力情報を受信すること、及び、第２ネットワークユニットから、前記第２ネットワークユニットが前記サービスを支援するか否かを指示するための前記第２ネットワークユニットの前記サービスの能力情報を受信することの少なくとも１つを含む、請求項３に記載のサービス指示方法。
【請求項５】
前記端末のサービス能力情報は、非バックオフ方式による前記サービスの支援を支援するか否か、バックオフ方式による前記サービスの支援を支援するか否か、ＥＰＳを支援するか否か、ＥＰＳへのハンドオーバーを支援するか否か、ＥＰＳへのリダイレクトを支援するか否か、前記サービスのＰＤＵセッション確立の開始を支援するか否か、及び、前記サービスのサービス要求の開始を支援するか否かの少なくとも１つを含み、
及び／又は、
前記第２ネットワークユニットのサービス能力情報は、非バックオフ方式による前記サービスの支援を支援するか否か、バックオフ方式による前記サービスの支援を支援するか否か、前記サービスを支援するネットワークへの端末のハンドオーバーを支援するか否か、ＥＰＳへの端末のハンドオーバーを支援するか否か、ＥＰＳへの端末のリダイレクトを支援するか否か、及び、直接的に前記サービスを支援するか否かの少なくとも１つを含む、請求項４に記載のサービス指示方法。
【請求項６】
前記サービス指示情報を確認した後に、
前記サービス指示情報を端末に送信すること、及び、前記サービス指示情報を第２ネットワークユニットに送信することの少なくとも１つをさらに含む、請求項３〜５のいずれか一項に記載のサービス指示方法。
【請求項７】
前記サービスの支援情報は、サービス支援指示及びサービス支援種別情報の少なくとも１つを含み、
前記サービス支援指示は、前記サービスを支援するか否かを指示し、
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示し、
前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示し、
前記サービス操作情報は、前記サービスのＰＤＵセッションを受け付ける指示情報又はＱｏＳ（Ｑｕａｌｉｔｙ  ｏｆ  Ｓｅｒｖｉｃｅ）フローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む、請求項３〜５のいずれか１項に記載のサービス指示方法。
【請求項８】
第２ネットワークユニットに応用されるサービス指示方法において、
緊急サービス及び音声サービスの少なくとも１つを含むサービスの支援情報、サービス操作情報及び前記サービスの傾向情報の少なくとも１つを含むサービス指示情報を取得することと、
前記取得したサービス指示情報に基づいて、前記サービスに関する操作を行うことと、
を含む、サービス指示方法。
【請求項９】
前記サービスの支援情報は、サービス支援指示及びサービス支援種別情報の少なくとも１つを含み、
前記サービス支援指示は、前記サービスを支援するか否かを指示し、
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示し、
前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示し、
前記サービス操作情報は、前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む、請求項８に記載のサービス指示方法。
【請求項１０】
前記取得したサービス指示情報に基づいて、前記サービスに関する操作を行うことは、
前記サービス指示情報に基づいて、ユーザ端末が開始した上記サービスのＰＤＵセッション又はＱｏＳフローの確立要求を受け付けること、端末をｅＬＴＥにハンドオーバーすること、端末をＥＰＳへハンドオーバーすること、又は端末をＥＰＳへリダイレクトすることの1つを含む、請求項８に記載のサービス指示方法。
【請求項１１】
緊急サービス及び音声サービスの少なくとも１つを含むサービスの支援情報及び前記サービスの傾向情報の少なくとも１つを含むサービス指示情報を取得するための取得モジュールと、
前記取得したサービス指示情報に基づいて、前記サービスに関する操作を行うための操作モジュールと、
を含む、端末。
【請求項１２】
第１ネットワークユニットであるネットワークユニットにおいて、
サービス能力情報を取得するための取得モジュールと、
緊急サービス及び音声サービスの少なくとも１つを含むサービスの支援情報、サービス操作情報及び前記サービスの傾向情報の少なくとも１つを含むサービス指示情報を、前記取得したサービス能力情報に基づいて確認するための確認モジュールとを含む、ネットワークユニット。
【請求項１３】
前記サービスの支援情報は、サービス支援指示及びサービス支援種別情報の少なくとも１つを含み、
前記サービス支援指示は、前記サービスを支援するか否かを指示し、
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示し、
前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示し、
前記サービス操作情報は、前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む、請求項１２に記載のネットワークユニット。
【請求項１４】
第２ネットワークユニットであるネットワークユニットにおいて、
緊急サービス及び音声サービスの少なくとも１つを含むサービスの支援情報、サービス操作情報及び前記サービスの傾向情報の少なくとも１つを含むサービス指示情報を取得するための取得モジュールと、
前記取得したサービス指示情報に基づいて、前記サービスに関する操作を行うための操作モジュールとを含む、ネットワークユニット。
【請求項１５】
前記サービスの支援情報は、サービス支援指示及びサービス支援種別情報の少なくとも１つを含み、
前記サービス支援指示は、前記サービスを支援するか否かを指示し、
又は、前記サービス支援指示は、ＮＲが前記サービスを支援するか否か、ｅＬＴＥが前記サービスを支援するか否か、及び、ＥＰＳが前記サービスを支援するか否かの少なくとも１つを指示し、
前記サービス支援種別情報は、前記サービスを支援する種別を指示し、
又は、前記サービス支援種別情報は、ＮＲによる前記サービスの支援が可能か否か、ｅＬＴＥによる前記サービスの支援が可能か否か、ＥＰＳによる前記サービスの支援が可能か否か、ＥＰＳへのハンドオーバーによる前記サービスの支援が可能か否か、及び、ＥＰＳへのリダイレクトによる前記サービスの支援が可能か否かの少なくとも１つを指示し、
前記サービス操作情報は、前記サービスのＰＤＵセッションを受け付ける指示情報又はＱｏＳフローの確立要求を受け付ける指示情報、端末をｅＬＴＥにハンドオーバーする指示情報、端末をＥＰＳにハンドオーバーする指示情報、及び、端末をＥＰＳにリダイレクトする指示情報の少なくとも１つを含む、請求項１４に記載のネットワークユニット。
【国際調査報告】
2021511727.tif 000025
2021511727.tif 000026
2021511727.tif 000027
2021511727.tif 000028